(57)【要約】      （修正有）【課題】１つのアンテナを用いて、非接触通信と非接触充電とを効率的に行うことが可能な、新規かつ改良された充電装置、制御方法及びプログラムを提供する。【解決手段】情報処理システム１００において、充電装置３００は、所定周波数の搬送波を用いて非接触式に外部装置と通信を行うため及び搬送波を用いて非接触式に外部装置のバッテリへの充電を行うためのＱ値が可変するアンテナ３０２と、アンテナのＱ値を所定の値に設定する設定部３４４と、外部装置から送信される情報を取得する取得部３４０と、情報取得部が取得した情報に基づいて、バッテリへの充電の要否を判定する判定部３４２と、を備える。設定部は、判定部による判定の結果に応じて、選択的に設定する。【選択図】図７
2020058228.tif 000002
【特許請求の範囲】
【請求項１】
所定周波数の搬送波を用いて非接触式に外部装置と通信を行うための、および前記搬送波を用いて非接触式に前記外部装置のバッテリへの充電を行うための、Ｑ値が可変するアンテナと、
前記アンテナのＱ値を所定の値に設定する設定部と、
前記外部装置から送信される情報を取得する情報取得部と、
前記情報取得部が取得した前記情報に基づいて、前記バッテリへの充電の要否を判定する判定部と、
を備え、
前記設定部は、前記判定部による判定の結果に応じて、選択的に設定する、
充電装置。
【請求項２】
前記外部装置から送信される、前記外部装置へ送信した充電認証情報に応答する前記バッテリへの充電に関する情報としての応答信号を取得する応答信号取得部をさらに備え、
前記情報取得部は、前記情報を間欠的に受信し、
前記判定部は、前記応答信号取得部が取得した前記応答信号、または前記情報取得部が取得した前記情報に基づいて、前記バッテリへの充電の要否を判定する、
請求項１に記載の充電装置。
【請求項３】
前記外部装置へ前記バッテリへの充電用の電力を伝送する電力伝送部と、
前記情報取得部において、間欠的に取得していた前記情報の取得が停止したときに、前記電力伝送部による前記電力の伝送を中止させる電力伝送中止部と、
を更に備える、
請求項２に記載の充電装置。
【請求項４】
所定周波数の搬送波を用いて非接触式に外部装置と通信を行うための、および前記搬送波を用いて非接触式に前記外部装置のバッテリへの充電を行うための、Ｑ値が可変するアンテナの、当該Ｑ値を所定の値に設定することと、
前記外部装置から送信される情報を取得することと、
取得した前記情報に基づいて、前記バッテリへの充電の要否を判定することと、
前記バッテリへの充電の要否の判定の結果に応じて、選択的に設定することと、
を含む、
制御方法。
【請求項５】
コンピュータに、
所定周波数の搬送波を用いて非接触式に外部装置と通信を行うための、および前記搬送波を用いて非接触式に前記外部装置のバッテリへの充電を行うための、Ｑ値が可変するアンテナの、当該Ｑ値を所定の値に設定することと、
前記外部装置から送信される情報を取得することと、
取得した前記情報に基づいて、前記バッテリへの充電の要否を判定することと、
前記バッテリへの充電の要否の判定の結果に応じて、選択的に設定することと、
を含む、制御方法を実行させるためのプログラム。
【発明の詳細な説明】
【技術分野】
【０００１】
本発明は、充電装置、制御方法、およびプログラムに関する。
【背景技術】
【０００２】
近年、非接触通信機能を有する携帯電話などの携帯型の情報処理装置（以下、「携帯型情報処理装置」という。）が広く普及している。
【０００３】
携帯型情報処理装置と、例えばリーダ／ライタとは、１３．５６ＭＨｚなどの特定の周波数の磁界（搬送波）を通信に使用している。具体的には、リーダ／ライタが搬送波信号をのせた搬送波を送信し、搬送波をアンテナで受信した携帯型情報処理装置が負荷変調によって受信した搬送波信号に対する応答信号を返信することにより、リーダ／ライタと携帯型情報処理装置とは通信を行っている。
【０００４】
また、非接触式の通信を行う情報処理装置において、電力を効率的に利用するための様々な技術が開発されている。例えば、特許文献１では、非接触式で通信を行う情報処理装置において、他の情報処理装置を検出するまでにアンテナコイルに供給する電力を、他の情報処理装置の検出後の情報通信の際にアンテナコイルに供給する電力よりも低減させる。
【先行技術文献】
【特許文献】
【０００５】
【特許文献１】特開２００１−３３９３２７号公報
【発明の概要】
【発明が解決しようとする課題】
【０００６】
ところで、非接触通信機能を有する携帯電話などの情報処理装置において、非接触式でバッテリなどへの充電を行う技術が提案されつつある。このため、今後、情報処理装置に、非接触通信機能に加え非接触充電機能も併せて搭載させたい要望が現れると予測される。
【０００７】
しかしながら、非接触通信機能と非接触充電機能とをともに情報処理装置に実装する場合、双方の機能を実現させるためのアンテナが必要になるが、それぞれのアンテナに要求される性能は大きく異なる。このため、双方の機能を実現させるためには、情報処理装置に非接触充電用と非接触通信用との２つのアンテナを搭載しなければならない。小型化が要求される情報処理装置において、アンテナのような大きい部品が増えることは好ましくない。
【０００８】
一方、非接触通信機能と非接触充電機能との双方の機能を実現させるために、単純に１つのアンテナを用いてしまうと非接触充電の効率が悪くなる、またはデータ伝送効率が悪くなる、あるいは通信が行えない状態になるという問題がある。
【０００９】
そこで、本発明は、上記問題に鑑みてなされたものであり、本発明の目的とするところは、１つのアンテナを用いて、非接触通信と非接触充電とを効率的に行うことが可能な、新規かつ改良された充電装置、制御方法、およびプログラムを提供することにある。
【課題を解決するための手段】
【００１０】
上記課題を解決するために、本発明のある観点によれば、所定周波数の搬送波を用いて非接触式に外部装置と通信を行うための、および前記搬送波を用いて非接触式に前記外部装置のバッテリへの充電を行うための、Ｑ値が可変するアンテナと、前記アンテナのＱ値を所定の値に設定する設定部と、前記外部装置から送信される情報を取得する情報取得部と、前記情報取得部が取得した前記情報に基づいて、前記バッテリへの充電の要否を判定する判定部と、を備え、前記設定部は、前記判定部による判定の結果に応じて、選択的に設定する、充電装置が提供される。
【００１１】
また、上記課題を解決するために、本発明の別の観点によれば、所定周波数の搬送波を用いて非接触式に外部装置と通信を行うための、および前記搬送波を用いて非接触式に前記外部装置のバッテリへの充電を行うための、Ｑ値が可変するアンテナの、当該Ｑ値を所定の値に設定することと、前記外部装置から送信される情報を取得することと、取得した前記情報に基づいて、前記バッテリへの充電の要否を判定することと、前記バッテリへの充電の要否の判定の結果に応じて、選択的に設定することと、を含む、制御方法が提供される。
【００１２】
また、上記課題を解決するために、本発明の別の観点によれば、コンピュータに、所定周波数の搬送波を用いて非接触式に外部装置と通信を行うための、および前記搬送波を用いて非接触式に前記外部装置のバッテリへの充電を行うための、Ｑ値が可変するアンテナの、当該Ｑ値を所定の値に設定することと、前記外部装置から送信される情報を取得することと、取得した前記情報に基づいて、前記バッテリへの充電の要否を判定することと、前記バッテリへの充電の要否の判定の結果に応じて、選択的に設定することと、を含む、制御方法を実行させるためのプログラムが提供される。
【発明の効果】
【００１３】
以上説明したように本発明によれば、１つのアンテナを用いて、非接触通信と非接触充電とを効率的に行うことができる。
【図面の簡単な説明】
【００１４】
【図１Ａ】本発明の実施の形態に係る情報処理システムを説明するための説明図である。
【図１Ｂ】本発明の実施の形態に係る情報処理システムを説明するための説明図である。
【図２】本実施の形態に係る情報処理装置の概略構成を示すブロック図である。
【図３】本実施の形態に係る充電装置の概略構成を示すブロック図である。
【図４】図２の情報処理装置が実行する通信／充電処理のフローチャートである。
【図５】図３の充電装置が実行する通信／充電処理のフローチャートである。
【図６】本実施の形態に係る情報処理システム、特に情報処理装置の概略構成を示すブロック図である。
【図７】本実施の形態に係る情報処理システム、特に充電装置の概略構成を示すブロック図である。
【図８】本実施の形態に係る情報処理装置、充電装置が備えるアンテナの変形例を示す回路図である。
【図９】本発明の実施の形態に係る情報処理装置が実行する第２の通信／充電処理のフローチャートである。
【図１０】図９に続く本発明の実施の形態に係る情報処理装置が実行する第２の通信／充電処理のフローチャートである。
【図１１】本発明の実施の形態に係る充電装置が実行する第２の通信／充電処理のフローチャートである。
【図１２】図１１に続く本発明の実施の形態に係る充電装置が実行する第２の通信／充電処理のフローチャートである。
【図１３】本発明の実施の形態に係る情報処理装置が実行する第３の通信／充電処理のフローチャートである。
【図１４Ａ】本発明の第２の実施の形態に係る情報処理システムを説明するための説明図である。
【図１４Ｂ】本発明の第２の実施の形態に係る情報処理システムを説明するための説明図である。
【図１５】本発明の第２の実施の形態に係るリーダ／ライタの概略構成を示すブロック図である。
【図１６】本発明の第２の実施の形態に係るリーダ／ライタが実行する通信処理のフローチャートである。
【図１７Ａ】本発明の第３の実施の形態に係る情報処理システムを説明するための説明図である。
【図１７Ｂ】本発明の第３の実施の形態に係る情報処理システムを説明するための説明図である。
【図１８】本発明の第３の実施の形態に係る情報処理装置の概略構成を示すブロック図である。
【図１９】本発明の第３の実施の形態に係る充電装置の概略構成を示すブロック図である。
【図２０】本発明の第３の実施の形態に係る情報処理装置が実行する通信／充電処理のフローチャートである。
【図２１】図２０に続く本発明の第３の実施の形態に係る情報処理装置が実行する通信／充電処理のフローチャートである。
【図２２】本発明の第３の実施の形態に係る充電装置が実行する充電処理のフローチャートである。
【図２３Ａ】本発明の第４の実施の形態に係る情報処理システムを説明するための説明図である。
【図２３Ｂ】本発明の第４の実施の形態に係る情報処理システムを説明するための説明図である。
【図２４】本発明の第４の実施の形態に係る情報処理装置の概略構成を示すブロック図である。
【図２５】本発明の第４の実施の形態に係る情報処理装置が実行する通信処理のフローチャートである。
【図２６Ａ】本発明の第５の実施の形態に係る情報処理システムを説明するための説明図である。
【図２６Ｂ】本発明の第５の実施の形態に係る情報処理システムを説明するための説明図である。
【図２７】本発明の第５の実施の形態に係る情報処理装置の概略構成を示すブロック図である。
【図２８】本発明の第５の実施の形態に係る情報処理装置が実行する充電処理のフローチャートである。
【図２９】（Ａ）〜（Ｄ）は、充電認証パケットの構成を説明するための説明図である。
【図３０】（Ａ）および（Ｂ）は、充電認証パケットの構成を説明するための説明図である。
【発明を実施するための形態】
【００１５】
以下に添付図面を参照しながら、本発明の好適な実施の形態について詳細に説明する。
なお、本明細書及び図面において、実質的に同一の機能構成を有する構成要素については、同一の符号を付することにより重複説明を省略する。
【００１６】
なお、説明は以下の順序で行うものとする。
【００１７】
１．本発明の実施の形態に係る情報処理システムの構成
２．本発明の実施の形態に係る情報処理装置の概略構成
３．本発明の実施の形態に係る充電装置の概略構成
４．本発明の実施の形態に係る情報処理装置が実行する通信／充電処理
５．本発明の実施の形態に係る充電装置が実行する通信／充電処理
６．本発明の実施の形態に係る情報処理装置の具体的な構成例
７．本発明の実施の形態に係る充電装置の具体的な構成例
８．本発明の実施の形態に係る情報処理装置が実行する第２の通信／充電処理
９．本発明の実施の形態に係る充電装置が実行する第２の通信／充電処理
１０．本発明の実施の形態に係る情報処理装置が実行する第３の通信／充電処理
１１．本発明の第２の実施の形態に係る情報処理システムの構成
１２．本発明の第２の実施の形態に係るリーダ／ライタの概略構成
１３．本発明の第２の実施の形態に係るリーダ／ライタが実行する通信処理
１４．本発明の第３の実施の形態に係る情報処理システムの構成
１５．本発明の第３の実施の形態に係る情報処理装置の構成
１６．本発明の第３の実施の形態に係る充電装置の構成
１７．本発明の第３の実施の形態に係る情報処理装置が実行する通信／充電処理
１８．本発明の第３の実施の形態に係る充電装置が実行する充電処理
１９．本発明の第４の実施の形態に係る情報処理システムの構成
２０．本発明の第４の実施の形態に係る情報処理装置の構成
２１．本発明の第４の実施の形態に係る情報処理装置が実行する通信処理
２２．本発明の第５の実施の形態に係る情報処理システムの構成
２３．本発明の第５の実施の形態に係る情報処理装置の構成
２４．本発明の第５の実施の形態に係る情報処理装置が実行する充電処理
【００１８】
［本発明の実施の形態に係る情報処理システムの構成］
まず、図１Ａおよび図１Ｂを参照して、本発明の実施の形態に係る情報処理システムについて説明する。
【００１９】
図１Ａおよび図１Ｂは、本実施の形態に係る情報処理システムを説明するための説明図である。
【００２０】
図１Ａにおいて、情報処理システム１００は、携帯電話端末などの情報処理装置２００と、充電装置３００とから構成される。なお、充電装置３００は、リーダ／ライタ機能を有する充電装置であってもよい。
【００２１】
情報処理装置２００は、内部にバッテリ（図示せず）を備え、充電装置３００との通信時、およびバッテリへの充電用の電力の伝達時に使用する１つのアンテナ２０２を搭載している。
【００２２】
充電装置３００は、情報処理装置２００との通信時、および情報処理装置２００が備えるバッテリへの充電用の電力の伝送時に使用する１つのアンテナ３０２を搭載している。
【００２３】
情報処理システム１００では、図１Ｂに示すように、情報処理装置２００が充電装置３００上に載置された際、または情報処理装置２００が充電装置３００に接近した際に、非接触式の通信、および情報処理装置２００が備えるバッテリへの非接触式の充電を行う。
以下、非接触式の通信を非接触通信といい、非接触式の充電を非接触充電という。
【００２４】
ところで、上述した情報処理システムにおける情報処理装置２００および充電装置３００は、非接触通信機能に加えて非接触充電機能を有する。
【００２５】
従来、非接触式の充電に係る方式において、最も実用化が進んでいるものは電磁誘導型であり、これはコイル間の結合を用いるものである。電磁誘導型では、コイルに要求されるターン数の影響などにより搬送波の周波数は数百ｋＨｚ程度が一般的である。一方、ＩＳＯ１８０９２などに代表される非接触通信では共振させたコイルを結合させることによって通信を行い、その搬送波の周波数は１３．５６ＭＨｚが一般的である。電磁誘導型の非接触充電の機能とＩＳＯ１８０９２などの非接触通信の機能とをともに情報処理装置２００や充電装置３００に実装する場合、双方の機能を実現させるためのアンテナが必要になる。
【００２６】
しかしながら、それぞれのアンテナに要求される性能や搬送波の周波数は大きく異なるため、双方の機能を実現させるためには、情報処理装置２００や充電装置３００に非接触充電用と非接触通信用との２つのアンテナを搭載しなければならない。
【００２７】
一方、比較的新しい非接触式の充電に係る方式として磁気共鳴型というものがある。この磁気共鳴型では非常にＱ値の高いアンテナ同士を結合させて電力伝送を行い、搬送波の周波数としては数十ＭＨｚ程度が向いていると考えられている。ＩＳＯ１８０９２などに代表される非接触通信における搬送波の周波数１３．５６ＭＨｚを用いれば、非接触充電と非接触通信とで１つのアンテナを用いることも可能であると考えられる。
【００２８】
しかしながら、磁気共鳴型の非接触充電用のアンテナには充電効率を良くするため数百〜１０００という非常に高いＱ値が要求される。一方、ＩＳＯ１８０９２のアンテナではデータ伝送のためにＱ値が１０〜２０程度に抑えられたアンテナがよく用いられる。このため、単純に同じアンテナを用いてしまうと非接触充電の効率が悪くなる、またはデータ伝送効率が悪くなる、あるいは通信が行えない状態となるという問題がある。
【００２９】
従って、従来の技術では、情報処理装置２００や充電装置３００において、１つのアンテナを用いて、非接触通信と非接触充電とを効率的に行うことができない。
【００３０】
本実施の形態に係る情報処理システム１００では、情報処理装置２００が後述する図４の通信／充電処理を実行し、充電装置３００が後述する図５の通信／充電処理を実行する。さらに、本実施の形態に係る情報処理システム１００では、情報処理装置２００が後述する図９および図１０の第２の通信／充電処理を実行し、充電装置３００が後述する図１１および図１２の第２の通信／充電処理を実行する。これにより、双方の装置において、１つのアンテナを用いて、情報処理装置２００と充電装置３００との間での非接触通信、および情報処理装置２００が備えるバッテリへの非接触充電を効率的に行うことができる。
【００３１】
［本発明の実施の形態に係る情報処理装置の概略構成］
次に、図２を参照して、本実施の形態に係る情報処理装置について説明する。
【００３２】
図２は、本実施の形態に係る情報処理装置の概略構成を示すブロック図である。
【００３３】
図２において、情報処理装置２００は、アンテナ２０２と、Ｑ値設定スイッチ２０４と、充電部２０６と、通信部２１２と、制御部２１８と、充電ＩＣ２２０と、バッテリ２２２とを備える。
【００３４】
アンテナ２０２は、充電装置３００から送信される電力伝送の相手の確認や相手との認証のためのパケット（以下、「充電認証用パケット」という。）や通常の非接触通信用パケット（以下、単に「通信用パケット」という。）を受信する。また、アンテナ２０２は、充電装置３００からバッテリ２２２への充電用の電力が伝達される。
【００３５】
Ｑ値設定スイッチ２０４は、制御部２１８から送信される設定信号に基づいて、アンテナ２０２のＱ値を選択的に設定する。具体的には、Ｑ値設定スイッチ２０４は、アンテナ２０２のＱ値が低いＱ値、または高いＱ値となるように、アンテナ２０２のＱ値を選択的に設定する。
【００３６】
充電部２０６は、アンテナ２０２に伝達されたバッテリ２２２への充電用の電力を受信する受信部２０８を有する。また、充電部２０６は、バッテリ２２２への充電が完了するまで間欠的に充電装置３００へ充電用の電力の伝送の継続を要求するためのパケット（以下、「充電継続用パケット」という。）を送信する送信部２１０を有する。なお、送信部２１０は、充電継続用パケットの送信を負荷変調により行い、また、通常のデータ伝送レートよりも低いデータ伝送レートで行う。
【００３７】
通信部２１２は、アンテナ２０２が受信した充電認証用パケットや通信用パケットを受信する受信部２１４を有する。また、通信部２１２は、バッテリ２２２への充電が必要であるときに受信部２１４が受信した充電認証用パケットに応答する充電認証用の応答パケットや、受信した通信用パケットに応答する通信用の応答パケットを充電装置３００へ送信する送信部２１６とを有する。なお、送信部２１６は、各応答パケットの送信を負荷変調により行い、また、通常のデータ伝送レートで行う。
【００３８】
制御部２１８は、Ｑ値設定スイッチ２０４、充電部２０６、通信部２１２、充電ＩＣ２２０の制御を行う。制御部２１８は、情報処理装置２００の電源が入れられた後、Ｑ値設定スイッチ２０４へアンテナ２０２のＱ値を低いＱ値に設定するための設定信号を送信する。すなわち、制御部２１８は、アンテナ２０２のＱ値を第１の値に設定して、データ伝送を効率的に行えるようにする。また、制御部２１８は、受信部２１４が充電認証用パケットを受信した際に、充電ＩＣ２２０からバッテリ２２２の電池残量情報を取得して、バッテリ２２２への充電の要否を判定する。バッテリ２２２への充電が必要であるときに、制御部２１８は、送信部２１６に充電認証用の応答パケットを送信させる。その後、制御部２１８は、Ｑ値設定スイッチ２０４へアンテナ２０２のＱ値を高いＱ値に設定するための設定信号を送信する。すなわち、制御部２１８は、アンテナ２０２のＱ値を第１の値よりも高い第２の値に設定して、バッテリ２２２への充電用の電力の伝達を効率的に行えるようにする。また、制御部２１８は、受信部２０８がバッテリ２２２への充電用の電力を受信して、充電ＩＣ２２０が受信部２０８からバッテリ２２２への充電用の電力を受信した際に、充電ＩＣ２２０にバッテリ２２２への充電を行わせる。そして、制御部２１８は、バッテリ２２２の充電中において、所定の時間おきに、充電ＩＣ２２０からバッテリ２２２の電池残量情報を取得して、バッテリ２２２への充電の要否を判定する。バッテリ２２２への充電が必要であるときに、制御部２１８は、送信部２１０に充電継続用パケットを送信させる。このようにバッテリ２２２への充電が必要である間は、送信部２１０は充電装置３００へ間欠的に充電継続用パケットを送信する。一方、バッテリ２２２への充電が必要でないときは、制御部２１８は、送信部２１０に充電継続用パケットを送信させない。そして、制御部２１８は、所定の時間の経過後に、受信部２０８がバッテリ２２２への充電用の電力を受信しているか否かを判定する。受信部２０８がバッテリ２２２への充電用の電力を受信していないときは、制御部２１８は、Ｑ値設定スイッチ２０４へアンテナ２０２のＱ値を低いＱ値に設定するための設定信号を送信する。
【００３９】
充電ＩＣ２２０は、バッテリ２２２への充電を行い、また、バッテリ２２２からの電力を効率的に情報処理装置２００の各部に供給する。
【００４０】
［本発明の実施の形態に係る充電装置の概略構成］
次に、図３を参照して、本実施の形態に係る充電装置について説明する。
【００４１】
図３は、本実施の形態に係る充電装置の概略構成を示すブロック図である。
【００４２】
図３において、充電装置３００は、アンテナ３０２と、Ｑ値設定スイッチ３０４と、充電部３０６と、通信部３１２と、制御部３１８と、ＡＣ電源３２２に接続された電源ＩＣ３２０とを備える。
【００４３】
アンテナ３０２は、充電認証用パケットを送信し、また、情報処理装置２００が備えるバッテリ２２２への充電用の電力を伝送する。なお、アンテナ３０２は、通信用パケットを送信してもよい。
【００４４】
Ｑ値設定スイッチ３０４は、制御部３１８から送信される設定信号に基づいて、アンテナ３０２のＱ値を選択的に設定する。具体的には、Ｑ値設定スイッチ３０４は、アンテナ３０２のＱ値が低いＱ値、または高いＱ値となるように、アンテナ３０２のＱ値を選択的に設定する。
【００４５】
充電部３０６は、情報処理装置２００から送信される充電継続用パケットを受信する受信部３０８と、情報処理装置２００が備えるバッテリ２２２への充電用の電力を伝送する送信部３１０とを有する。
【００４６】
通信部３１２は、情報処理装置から送信される充電認証用の応答パケットを受信する受信部３１４と、充電認証用パケットを送信する送信部３１６とを有する。
【００４７】
制御部３１８は、Ｑ値設定スイッチ３０４、充電部３０６、通信部３１２、電源ＩＣ３２０の制御を行う。制御部３１８は、充電装置３００の電源が入れられた後、Ｑ値設定スイッチ３０４へアンテナ３０２のＱ値を低いＱ値に設定するための設定信号を送信する。
すなわち、制御部３１８は、アンテナ３０２のＱ値を第１の値に設定して、データ伝送を効率的に行えるようにする。また、制御部３１８は、送信部３１６に充電認証用パケットを送信させる。その後、制御部３１８は、受信部３１４が充電認証用の応答パケットを受信した際に、受信した充電認証用の応答パケットが有効か否かを判定する。充電認証用の応答パケットが有効であるときは、制御部３１８は、情報処理装置２００が備えるバッテリ２２２への充電が必要であると判定して、Ｑ値設定スイッチ３０４へアンテナ３０２のＱ値を高いＱ値に設定するための設定信号を送信する。すなわち、制御部３１８は、アンテナ３０２のＱ値を第１の値よりも高い第２の値に設定して、バッテリ２２２への充電用の電力の伝送を効率的に行えるようにする。そして、制御部３１８は、所定の時間の経過後に、送信部３１０に情報処理装置２００が備えるバッテリ２２２への充電用の電力を伝送させる。その後、制御部３１８は、所定の時間おきに、受信部３０８が充電継続用パケットを受信したか否かを判定する。受信部３０８が充電継続用パケットを受信したときは、制御部３１８は、送信部３１０による電力の伝送を継続させる。一方、受信部３０８が充電継続用パケットを受信しないときは、制御部３１８は、送信部３１０による電力の伝送を中止させて、Ｑ値設定スイッチ３０４へアンテナ３０２のＱ値を低いＱ値に設定するための設定信号を送信する。
【００４８】
電源ＩＣ３２０は、ＡＣ電源３２２からの電力を効率的に充電装置３００の各部に供給する。なお、電源ＩＣ３２０は、ＤＣ電源（図示せず）からの電力を充電装置３００の各部に供給してもよい。
【００４９】
［本発明の実施の形態に係る情報処理装置が実行する通信／充電処理］
以下、図２の情報処理装置が実行する通信／充電処理について説明する。
【００５０】
図４は、図２の情報処理装置が実行する通信／充電処理のフローチャートである。
【００５１】
図４において、まず、情報処理装置２００の制御部２１８は、Ｑ値設定スイッチ２０４へアンテナ２０２のＱ値を低いＱ値、例えば１０〜２０（第１の値の一例）に設定するための設定信号を送信する。その設定信号を受信したＱ値設定スイッチ２０４はアンテナ２０２のＱ値を低いＱ値に設定する（ステップＳ１０１）。
【００５２】
次いで、制御部２１８は、通信部２１２の受信部２１４において充電装置３００から送信される搬送波を待ち受ける（ステップＳ１０２）。
【００５３】
次いで、制御部２１８は、受信部２１４において搬送波を受信したか否かを判別し（ステップＳ１０３）、搬送波を受信していないときは（ステップＳ１０３でＮＯ）、ステップＳ１０２の処理へ戻る。
【００５４】
受信部２１４において搬送波を受信したときは（ステップＳ１０３でＹＥＳ）、充電装置３００から送信されるパケットを待ち受ける（ステップＳ１０４）。
【００５５】
次いで、制御部２１８は、受信部２１４においてパケットを受信したか否かを判別し（ステップＳ１０５）、パケットを受信していないときは（ステップＳ１０５でＮＯ）、ステップＳ１０４の処理へ戻る。
【００５６】
受信部２１４においてパケットを受信したときは（ステップＳ１０５でＹＥＳ）、制御部２１８は、受信したパケットが充電認証用パケット（バッテリへの充電に関する情報、充電認証情報）か否かを判別する（ステップＳ１０６）。
【００５７】
受信したパケットが充電認証用パケットでないときは（ステップＳ１０６でＮＯ）、受信したパケットは通信用パケットであるので、制御部２１８は、そのパケットに対応する通常の通信処理を実行して（ステップＳ１０８）、ステップＳ１０４の処理へ戻る。
【００５８】
受信したパケットが充電認証用パケットであるときは（ステップＳ１０６でＹＥＳ）、情報処理装置２００の近傍に非接触充電機能を有する充電装置３００が存在する。制御部２１８は、充電ＩＣ２２０からバッテリ２２２の電池残量情報（バッテリへの充電に関する情報）を取得して、取得したバッテリ２２２の電池残量情報に基づいて、バッテリ２２２への充電が必要であるか否かを判別する（ステップＳ１０７）。
【００５９】
バッテリ２２２への充電の必要がないとき、すなわちバッテリ２２２が満充電であるとき、またはバッテリ２２２が情報処理装置２００に接続されていないときは（ステップＳ１０７でＮＯ）、制御部２１８は、通信部２１２の送信部２１６に充電認証用の応答パケットを送信させることなく、ステップＳ１０４の処理へ戻る。
【００６０】
ステップＳ１０７の判別の結果、バッテリ２２２への充電が必要であるときは（ステップＳ１０７でＹＥＳ）、制御部２１８は、送信部２１６に充電認証用の応答パケットを送信させる（ステップＳ１０９）。
【００６１】
ステップＳ１０９において送信された充電認証用の応答パケットを受信した充電装置３００は、情報処理装置２００のバッテリ２２２への充電用の電力の伝送を所定の時間の経過後に開始する。そのため、Ｑ値設定スイッチ２０４へアンテナ２０２のＱ値をステップＳ１０１で設定したＱ値よりも高いＱ値、例えば５０〜数１００（第２の値の一例）に設定するための設定信号を送信する。その設定信号を受信したＱ値設定スイッチ２０４はアンテナ２０２のＱ値を高いＱ値に設定する（ステップＳ１１０）。
【００６２】
次いで、制御部２１８は、バッテリ２２２への充電を監視する（ステップＳ１１１）。
【００６３】
次いで、制御部２１８は、充電部２０６の受信部２０８においてバッテリ２２２への充電用の電力を受信しているか否かを判別する（ステップＳ１１２）。
【００６４】
充電用の電力を受信しているときは（ステップＳ１１２でＹＥＳ）、制御部２１８は、充電ＩＣ２２０からバッテリ２２２の電池残量情報を取得して、バッテリ２２２への充電が必要であるか否か、すなわち、バッテリ２２２が満充電であるか否かを判別する（ステップＳ１１４）。
【００６５】
バッテリ２２２への充電が必要であるときは（ステップＳ１１４でＮＯ）、制御部２１８は、充電部２０６の送信部２１０に充電継続用パケットを送信させて（ステップＳ１１５）、ステップＳ１１１の処理へ戻る。なお、ステップＳ１１５では、アンテナ２０２のＱ値が高いＱ値であっても十分に通信可能となる低いデータ伝送レートで充電継続用パケットの送信を行わせる。
【００６６】
バッテリ２２２への充電が必要でないときは（ステップＳ１１４でＹＥＳ）、制御部２１８は、充電部２０６の送信部２１０に充電継続用パケットを送信させることなく、ステップＳ１１１の処理へ戻る。
【００６７】
ステップＳ１１２の判別の結果、充電用の電力を受信していないとき、すなわち、充電部２０６の送信部２１０に充電継続用パケットを送信させなかったため、充電装置３００からの電力の伝達が停止したとき、または、情報処理装置２００が充電装置３００との通信可能範囲外に持ち去られたときは（ステップＳ１１２でＮＯ）、制御部２１８は、Ｑ値設定スイッチ２０４へアンテナ２０２のＱ値を低いＱ値に設定するための設定信号を送信し、その設定信号を受信したＱ値設定スイッチ２０４はアンテナ２０２のＱ値を低いＱ値に設定して（ステップＳ１１３）、本処理を終了する。
【００６８】
図４の通信／充電処理によれば、充電装置３００から充電認証用パケットなどのパケットを受信するときは、アンテナ２０２のＱ値が低いＱ値に設定され、充電装置３００からバッテリ２２２への充電用の電力が伝達されるときは、アンテナのＱ値が高いＱ値に設定される。アンテナのＱ値が低い場合、帯域幅が広いため、データ伝送を効率的に行うことができ、アンテナのＱ値が高い場合、搬送波の振幅を大きくすることができるため、充電用の電力の伝達を効率的に行うことができ、もって１つのアンテナを用いて、非接触通信と非接触充電とを効率的に行うことができる。
【００６９】
［本発明の実施の形態に係る充電装置が実行する通信／充電処理］
以下、図３の充電装置が実行する通信／充電処理について説明する。
【００７０】
図５は、図３の充電装置が実行する通信／充電処理のフローチャートである。
【００７１】
図５において、まず、充電装置３００の制御部３１８は、Ｑ値設定スイッチ３０４へアンテナ３０２のＱ値を低いＱ値、例えば１０〜２０（第１の値の一例）に設定するための設定信号を送信する。その設定信号を受信したＱ値設定スイッチ３０４はアンテナ３０２のＱ値を低いＱ値に設定する（ステップＳ２０１）。
【００７２】
次いで、制御部３１８は、通信部３１２の送信部３１６に充電認証用パケットを送信させる（ステップＳ２０２）。
【００７３】
次いで、制御部３１８は、通信部３１２の受信部３１４において情報処理装置２００から充電認証用の応答パケット（バッテリへの充電に関する情報、応答信号）を受信したか否かを判別し（ステップＳ２０３）、充電認証用の応答パケットを受信しないときは（ステップＳ２０３でＮＯ）、ステップＳ２０２の処理へ戻る。
【００７４】
充電認証用の応答パケットを受信したときは（ステップＳ２０３でＹＥＳ）、制御部３１８は、受信した充電認証用の応答パケットが有効であるか否かを判別し（ステップＳ２０４）、受信した充電認証用の応答パケットが有効でないときは（ステップＳ２０４でＮＯ）、ステップＳ２０２の処理へ戻る。
【００７５】
受信した充電認証用の応答パケットが有効であるときは（ステップＳ２０４でＹＥＳ）、Ｑ値設定スイッチ３０４へアンテナ３０２のＱ値をステップＳ２０１で設定したＱ値よりも高いＱ値、例えば５０〜数１００（第２の値の一例）に設定するための設定信号を送信する。その設定信号を受信したＱ値設定スイッチ３０４はアンテナ３０２のＱ値を高いＱ値に設定する（ステップＳ２０５）。
【００７６】
次いで、制御部３１８は、所定の時間、待機した後に（ステップＳ２０６）、充電部３０６の送信部３１０に情報処理装置２００のバッテリ２２２への充電用の電力を伝送させる（ステップＳ２０７）。
【００７７】
次いで、制御部３１８は、所定の時間おきに、充電部３０６の受信部３０８において情報処理装置２００から送信される充電継続用パケット（バッテリへの充電に関する情報、充電継続情報）を受信したか否かを判別する（ステップＳ２０８）。充電継続用パケットを受信したときは（ステップＳ２０８でＹＥＳ）、情報処理装置２００のバッテリ２２２への充電は完了していないため、ステップＳ２０７の処理へ戻る。
【００７８】
充電継続用パケットを受信しないときは（ステップＳ２０８でＮＯ）、情報処理装置２００のバッテリ２２２への充電は完了した、または情報処理装置２００が充電装置３００との通信可能範囲外に持ち去られたので、制御部３１８は、充電部３０６の送信部３１０による電力の伝送を中止させる（ステップＳ２０９）。
【００７９】
次いで、制御部３１８は、Ｑ値設定スイッチ３０４へアンテナ３０２のＱ値を低いＱ値に設定するための設定信号を送信し、その設定信号を受信したＱ値設定スイッチ３０４はアンテナ３０２のＱ値を低いＱ値に設定して（ステップＳ２１０）、本処理を終了する。
【００８０】
図５の通信／充電処理によれば、充電認証用パケットなどのパケットを送信するときは、アンテナ３０２のＱ値が低いＱ値に設定され、情報処理装置２００のバッテリ２２２への充電用の電力を伝送するときは、アンテナのＱ値が高いＱ値に設定される。したがって、上述した図４の通信／充電処理と同様の効果を奏することができる。
【００８１】
［本発明の実施の形態に係る情報処理装置の具体的な構成例］
次に、本実施の形態に係る情報処理装置２００の具体的な構成例について説明する。
【００８２】
図６は、本実施の形態に係る情報処理システム１００、特に情報処理装置２００の概略構成を示すブロック図である。
【００８３】
図６において、情報処理装置２００は、アンテナ２０２と、通信／充電制御部２０３と、充電ＩＣ２２０と、バッテリ２２２と、ＭＰＵ２４０と、ＲＯＭ２４２と、ＲＡＭ２４４と、記録媒体２４６と、入出力インタフェースと２４８と、操作入力デバイス２５２と、表示デバイス２５４と、通信インタフェース２５０とを備える。また、情報処理装置２００は、例えば、データの伝送路としてのバス２５６で各構成要素間を接続する。
【００８４】
アンテナ２０２は、アンテナとして機能する共振回路２２４と、図２におけるＱ値設定スイッチ２０４としてのＱ値調整回路２２６とから構成される。
【００８５】
共振回路２２４は、所定のインダクタンスをもつコイル（インダクタ）Ｌ１と、所定の静電容量をもつキャパシタＣ１とから構成され、搬送波の受信に応じて電磁誘導により誘起電圧を生じさせる。そして、共振回路２２４は、所定の共振周波数で誘起電圧を共振させた受信電圧を通信／充電制御部２０３へ出力する。ここで、共振回路２２４における共振周波数は、例えば、１３．５６ＭＨｚなど搬送波の周波数に合わせて設定される。アンテナ２０２は、共振回路２２４を有することにより、搬送波を受信し、また、通信／充電制御部２０３が備える負荷変調部２３０において行われる負荷変調によって応答信号の送信を行う。
【００８６】
Ｑ値調整回路２２６は、アンテナ２０２のＱ値を調整する役目を果たす。また、Ｑ値調整回路２２６は、後述する通信／充電制御部２０３が備える制御部２１８から伝達される設定信号によって制御される。図６では、Ｑ値調整回路２２６の抵抗Ｒ１が接続（有効化）させることにより、アンテナ２０２のＱ値が低いＱ値、例えば１０〜２０（第１の値の一例）に調整される。すなわち、Ｑ値調整回路２２６の抵抗Ｒ１が接続（有効化）されないときは、アンテナ２０２のＱ値が高いＱ値、例えば５０〜数１００（第２の値の一例）に調整される。ここで、図６では、Ｑ値調整回路２２６が抵抗Ｒ１と、制御部２１８から伝達される設定信号の信号レベル（ハイレベル／ローレベル）に応じて抵抗Ｒ１（負荷）を接続（有効化）するスイッチング素子ＳＷ１とで構成された例を示しているが、上記に限られない。例えば、Ｑ値調整回路２２６は、伝達される設定信号（例えば、電圧信号）の大きさに応じて抵抗値が変化する可変抵抗（負荷）で構成することもできる。また、Ｑ値調整回路２２６は、複数の抵抗（抵抗値が異なる抵抗、または、抵抗値が同一の抵抗）と、当該複数の抵抗を選択的に接続する（いずれか一つ、または複数の抵抗を接続する）スイッチング素子で構成することもできる。上記スイッチング素子は、例えば、制御端子に設定信号が伝達される１または２以上のＭＯＳＦＥＴ（例えば、ｐチャネル型のＭＯＳＦＥＴや、ｎチャネル型のＭＯＳＦＥＴ）で構成することができるが、上記に限られない。
【００８７】
通信／充電制御部２０３は、アンテナ２０２が受信した搬送波に基づいて搬送波信号を復調して処理し、負荷変調により応答信号を送信させる。また、通信／充電制御部２０３は、アンテナ２０２に伝達されるバッテリ２２２への充電用の電力を受信して、充電ＩＣ２２０にバッテリ２２２への充電を行わせる。
【００８８】
通信／充電制御部２０３は、キャリア検出部２３２と、検波部２２８と、レギュレータ２３４と、復調部２３６と、制御部２１８と、負荷変調部２３０とを備える。なお、通信／充電制御部２０３は、例えば、過電圧や過電流が制御部２１８に印加されることを防止するための保護回路（図示せず）をさらに備えてもよい。ここで、保護回路（図示せず）としては、例えば、ダイオードなどで構成されたクランプ回路が挙げられるが、上記に限られない。
【００８９】
キャリア検出部２３２は、アンテナ２０２から伝達される受信電圧に基づいて、例えば、矩形の検出信号を生成し、当該検出信号を制御部２１８へ伝達する。
【００９０】
検波部２２８は、アンテナ２０２から出力される受信電圧を整流する。ここで、検波部２２８は、例えば、ダイオードＤ１と、キャパシタＣ２で構成することができるが、上記に限られない。また、レギュレータ２３４は、受信電圧を平滑、定電圧化し、制御部２１８へ駆動電圧を出力する。ここで、レギュレータ２３４は、受信電圧の直流成分を駆動電圧として用いることができる。また、レギュレータ２３４は、バッテリ２２２への充電用の電圧を充電ＩＣ２２０へ出力する。
【００９１】
復調部２３６は、受信電圧に基づいて搬送波信号を復調し、搬送波に含まれる搬送波信号に対応するデータ（例えば、ハイレベルとローレベルとの２値化されたデータ信号）を出力する。ここで、復調部２３６は、受信電圧の交流成分に基づいてデータ信号を出力することができる。
【００９２】
制御部２１８は、レギュレータ２３４から出力される駆動電圧、またはバッテリ２２２から供給される駆動電圧を電源として駆動し、復調部２３６において復調されたデータ（データ信号）の処理など様々な処理を行う。ここで、制御部２１８は、例えば、ＭＰＵなどで構成することができるが、上記に限られない。
【００９３】
より具体的には、制御部２１８は、例えば、取得部２６０と、判定部２６２と、設定部２６４と、送信部２６６とを備える。取得部２６０は、図２における通信部２１２の受信部２１４としての充電認証情報取得部（図示せず）と、電池残量情報取得部（図示せず）とを備える。送信部２６６は、図２における通信部２１２の送信部２１６としての応答信号送信部（図示せず）と、図２における充電部２０６の送信部２１０としての充電継続情報送信部（図示せず）とを備える。
【００９４】
設定部２６４は、情報処理装置２００の電源が入れられた後、Ｑ値調整回路２２６へアンテナ２０２のＱ値を低いＱ値、例えば１０〜２０（第１の値の一例）に設定するための設定信号を送信する。取得部２６０の充電認証情報取得部は、充電認証用パケットを受信（取得）する。取得部２６０の充電認証情報取得部が充電認証用パケットを受信した際に、取得部２６０の電池残量情報取得部は、充電ＩＣ２２０からバッテリ２２２の電池残量情報を取得する。判定部２６２は、取得部２６０が取得したバッテリ２２２の電池残量情報に基づいて、バッテリ２２２への充電の要否を判定する。バッテリ２２２への充電が必要であるときに、送信部２６６の応答信号送信部は、負荷変調部２３０を制御して、充電認証用の応答パケットを充電装置３００へ送信する。その後、設定部２６４は、Ｑ値調整回路２２６へアンテナ２０２のＱ値を高いＱ値、例えば５０〜数１００（第２の値の一例）に設定するための設定信号を送信する。制御部２１８は、充電ＩＣ２２０がバッテリ２２２への充電用の電力を受信した際に、充電ＩＣ２２０にバッテリ２２２への充電を行わせる。すなわち、制御部２１８は、図２における充電部２０６の受信部２０８としての役割を担う。そして、取得部２６０の電池残量情報取得部は、バッテリ２２２の充電中において、所定の時間おきに、充電ＩＣ２２０からバッテリ２２２の電池残量情報を取得する。判定部２６２は、取得部２６０が取得したバッテリ２２２の電池残量情報に基づいて、バッテリ２２２への充電の要否を判定する。バッテリ２２２への充電が必要であるときに、送信部２６６の充電継続情報送信部は、負荷変調部２３０を制御して、充電継続用パケットを充電装置３００へ送信する。このようにバッテリ２２２への充電が必要である間は、送信部２６６の充電継続情報送信部は、負荷変調部２３０を制御して、充電装置３００へ間欠的に充電継続用パケットを送信する。一方、バッテリ２２２への充電が必要でないときは、送信部２６６の充電継続情報送信部は、負荷変調部２３０を制御することなく、充電継続用パケットを充電装置３００へ送信しない。そして、制御部２１８は、所定の時間の経過後に、充電ＩＣ２２０がバッテリ２２２への充電用の電力を受信しているか否かを判定する。充電ＩＣ２２０がバッテリ２２２への充電用の電力を受信していないときは、設定部２６４は、Ｑ値調整回路２２６へアンテナ２０２のＱ値を低いＱ値に設定するための設定信号を送信する。
【００９５】
負荷変調部２３０は、例えば、負荷Ｚとスイッチング素子ＳＷ２とを備え、制御部２１８から伝達される制御信号に応じて負荷Ｚを選択的に接続する（有効化する）ことによって負荷変調を行う。ここで、負荷Ｚは、例えば、所定の抵抗値を有する抵抗で構成されるが、上記に限られない。また、スイッチング素子ＳＷ２は、例えば、ｐチャネル型のＭＯＳＦＥＴや、ｎチャネル型のＭＯＳＦＥＴで構成されるが、上記に限られない。
【００９６】
負荷変調部２３０において負荷変調が行われることによって、充電装置３００からみた情報処理装置２００のインピーダンスが変化することとなる。
【００９７】
通信／充電制御部２０３が上記のような構成を有するため、充電装置３００から充電認証用パケットなどのパケットを受信するときは、アンテナ２０２のＱ値が低いＱ値に設定され、充電装置３００からバッテリ２２２への充電用の電力が伝達されるときは、アンテナのＱ値が高いＱ値に設定される。アンテナのＱ値が低い場合、帯域幅が広いため、データ伝送を効率的に行うことができ、アンテナのＱ値が高い場合、搬送波の振幅を大きくすることができるため、充電用の電力の伝達を効率的に行うことができ、もって１つのアンテナを用いて、非接触通信と非接触充電とを効率的に行うことができる。
【００９８】
バッテリ２２２は、情報処理装置２００が備える内部電源であり、情報処理装置２００の各部に駆動電圧を供給する。なお、図６では、説明の便宜上、バッテリ２２２から出力される電圧が充電ＩＣ２２０を介して制御部２１８に供給されているが、上記に限られない。ここで、バッテリ２２２としては、例えば、リチウムイオン二次電池（lithium-ion  rechargeable  battery）などの二次電池が挙げられるが、上記に限られない。充電ＩＣ２２０は、バッテリ２２２への充電を制御する。
【００９９】
ＭＰＵ２４０は、情報処理装置２００全体を制御する制御部として機能する。ＲＯＭ２４２は、ＭＰＵ２４０が使用するプログラムや演算パラメータなどの制御用データを記憶し、また、ＲＡＭ２４４は、ＭＰＵ２４０により実行されるプログラムなどを一次記憶する。
【０１００】
記録媒体２４６は、情報処理装置２００における記憶部として機能し、例えば、各種アプリケーションなどを記憶する。ここで、記録媒体２４６としては、例えば、ハードディスクなどの磁気記録媒体や、ＥＥＰＲＯＭ、フラッシュメモリ、ＭＲＡＭ、ＦｅＲＡＭ、ＰＲＡＭなどの不揮発性メモリなどが挙げられるが、上記に限られない。
【０１０１】
入出力インタフェース２４８は、例えば、操作入力デバイス２５２や、表示デバイス２５４を接続する。ここで、入出力インタフェース２４８としては、例えば、ＵＳＢ（Universal  Serial  Bus）端子や、ＤＶＩ（Digital  Visual  Interface）端子、ＨＤＭＩ（登録商標）（High-Definition  Multimedia  Interface）端子などが挙げられるが、上記に限られない。また、操作入力デバイス２５２は、例えば、ボタン、方向キー、ジョグダイヤルなどの回転型セレクター、あるいは、これらの組み合わせなど、情報処理装置２００上に備えられ、情報処理装置２００の内部で入出力インタフェース２４８と接続される。また、表示デバイス２５４は、例えば、ＬＣＤ（Liquid  Crystal  Display；液晶ディスプレイ）や有機ＥＬディスプレイ（organic  ElectroLuminescence  display；または、ＯＬＥＤディスプレイ（Organic  Light  Emitting  Diode  display）とも呼ばれる。
）など、情報処理装置２００上に備えられ、情報処理装置２００の内部で入出力インタフェース２４８と接続される。なお、入出力インタフェース２４８は、情報処理装置２００の外部装置としての操作入力デバイス（例えば、キーボードやマウスなど）や、表示デバイス（例えば、外部ディスプレイなど）と接続することもできることは、言うまでもない。
【０１０２】
通信インタフェース２５０は、情報処理装置２００が備える通信手段であり、ネットワークを介して（あるいは、直接的に）サーバ（Server）などの外部装置と無線／有線で通信を行うための通信部として機能する。ここで、ネットワークとしては、例えば、ＬＡＮやＷＡＮ（Wide  Area  Network）などの有線ネットワーク、基地局を介した無線ＷＡＮ（ＷＷＡＮ；Wireless  Wide  Area  Network）や無線ＭＡＮ（ＷＭＡＮ；Wireless  Metropolitan  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。また、通信インタフェース２５０としては、例えば、通信アンテナおよびＲＦ回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ（Local  Area  Network）端子および送受信回路（有線通信）などが挙げられるが、上記に限られない。例えば、通信インタフェース２５０は、上記ネットワークに対応する構成とすることができる。
【０１０３】
［本発明の実施の形態に係る充電装置の具体的な構成例］
次に、本実施の形態に係る充電装置３００の具体的な構成例について説明する。
【０１０４】
図７は、本実施の形態に係る情報処理システム１００、特に充電装置３００の概略構成を示すブロック図である。
【０１０５】
図７において、充電装置３００は、搬送波信号生成部３３０と、アンテナ３０２と、復調部３２８と、制御部３１８とを備える。なお、充電装置３００は、アンテナ３０２と復調部３２８との間に、整流回路（図示せず）を備えてもよい。
【０１０６】
また、充電装置３００は、ＲＯＭ（図示せず）、ＲＡＭ（図示せず）、記憶部（図示せず）、外部装置（図示せず）や他の回路などと接続するためのインタフェース（図示せず）などを備えてもよい。充電装置３００は、例えば、データの伝送路としてのバス（bus）により各構成要素間を接続することができる。ＲＯＭは、制御部３１８が使用するプログラムや演算パラメータ、制御用データを記憶する。ＲＡＭは、制御部３１８により実行されるプログラムなどを一次記憶する。記憶部（図示せず）は、充電装置３００において用いられるアプリケーション、データなどを記憶する。ここで、記憶部（図示せず）としては、例えば、ハードディスク（Hard  Disk）などの磁気記録媒体や、フラッシュメモリ（flash  memory）などの不揮発性メモリ（nonvolatile  memory）が挙げられるが、上記に限られない。また、インタフェース（図示せず）としては、例えば、ＵＡＲＴ（Universal  Asynchronous  Receiver  Transmitter）や、ネットワーク端子などが挙げられるが、上記に限られない。
【０１０７】
搬送波信号生成部３３０は、制御部３１８により制御され、例えば、制御部３１８から伝達される搬送波信号生成命令を受けて、搬送波信号生成命令に応じた搬送波信号を生成する。図７では、搬送波信号生成部３３０として交流電源が示されているが、搬送波信号生成部３３０は、上記に限られない。例えば、搬送波信号生成部３３０は、ＡＳＫ変調を行う変調回路（図示せず）をさらに備えてもよい。なお、搬送波信号生成部３３０が生成する搬送波信号には、例えば、情報処理装置２００に対する各種処理命令や、処理させるデータを含めることができるが、上記に限られない。
【０１０８】
アンテナ３０２は、アンテナとして機能する共振回路３２４と、図３におけるＱ値設定スイッチ３０４としてのＱ値調整回路３２６とから構成される。アンテナ３０２は、搬送波信号生成部３３０が生成した搬送波信号に応じた搬送波を送信し、また、アンテナ３０２は、情報処理装置２００からの応答信号を受信する。
【０１０９】
ここで、共振回路３２４は、例えば、アンテナとして機能する所定のインダクタンスを有するコイル（インダクタ）Ｌ３と、所定の静電容量を有するキャパシタＣ３とから構成される。また、共振回路の共振周波数は、例えば、１３．５６ＭＨｚなど搬送波の周波数に合わせて設定される。
【０１１０】
また、Ｑ値調整回路３２６は、制御部３１８により制御され、例えば、制御部３１８から伝達される設定信号に応じて、アンテナ３０２のＱ値を調整する。図７では、Ｑ値調整回路３２６の抵抗Ｒ３が接続（有効化）されることにより、アンテナ３０２のＱ値が低いＱ値、例えば１０〜２０（第１の値の一例）に調整される。すなわち、Ｑ値調整回路３２６の抵抗Ｒ３が接続（有効化）されないときは、アンテナ３０２のＱ値が高いＱ値、例えば５０〜数１００（第２の値の一例）に調整される。ここで、図７では、Ｑ値調整回路３２６が、抵抗Ｒ３とスイッチング素子ＳＷ３で構成された例を示しているが、上記に限られない。例えば、Ｑ値調整回路３２６は、様々な構成をとることができる。
【０１１１】
復調部３２８は、例えば、アンテナ３０２のアンテナ端における電圧の振幅変化を包絡線検波し、検波した信号を２値化することによって、情報処理装置２００からの応答信号を復調する。
【０１１２】
制御部３１８は、例えば、ＭＰＵや各種処理回路が集積された集積回路などで構成され、充電装置３００全体の制御や様々な処理を行う。また、制御部３１８は、取得部３４０と、判定部３４２と、設定部３４４と、伝送部３４６とを備える。取得部３４０は、図３の通信部３１２の受信部３１４としての応答信号取得部（図示せず）と、図３の充電部３０６の受信部３０８としての充電継続情報取得部（図示せず）とを備える。伝送部３４６は、図３の充電部３０６の送信部３１０としての電力伝送部（図示せず）と、電力伝送中止部（図示せず）とを備える。
【０１１３】
設定部３４４は、充電装置３００の電源が入れられた後、Ｑ値調整回路３２６へアンテナ３０２のＱ値を低いＱ値、例えば１０〜２０（第１の値の一例）に設定するための設定信号を送信する。制御部３１８は、搬送波信号生成部３３０を制御して、充電認証用パケットを送信させる。すなわち、制御部３１８は、図３における通信部３１２の送信部３１６としての役割を担う。その後、取得部３４０の応答信号取得部が充電認証用の応答パケットを受信した際に、制御部３１８は、受信した充電認証用の応答パケットが有効か否かを判定する。充電認証用の応答パケットが有効であるときは、判定部３４２は、情報処理装置２００が備えるバッテリ２２２への充電が必要であると判定して、設定部３４４は、Ｑ値調整回路３２６へアンテナ３０２のＱ値を高いＱ値、例えば５０〜数１００（第２の値の一例）に設定するための設定信号を送信する。そして、伝送部３４６の電力伝送部は、所定の時間の経過後に、搬送波信号生成部３３０を制御して、情報処理装置２００が備えるバッテリ２２２への充電用の電力を伝送させる。その後、制御部３１８は、所定の時間おきに、取得部３４０の充電継続情報取得部が充電継続用パケットを受信したか否かを判定する。取得部３４０の充電継続情報取得部が充電継続用パケットを受信したときは、伝送部３４６の電力伝送部は、搬送波信号生成部３３０を制御して、充電用の電力の伝送を継続させる。一方、取得部３４０の充電継続情報取得部が充電継続用パケットを受信しないときは、伝送部３４６の電力伝送中止部は、搬送波信号生成部３３０を制御して、充電用の電力の伝送を中止させる。そして、設定部３４４は、Ｑ値調整回路３２６へアンテナ３０２のＱ値を低いＱ値に設定するための設定信号を送信する。
【０１１４】
充電装置３００は、例えば上記のような構成を有するため、充電認証用パケットなどのパケットを送信するときは、アンテナ３０２のＱ値が低いＱ値に設定され、情報処理装置２００のバッテリ２２２への充電用の電力を伝送するときは、アンテナのＱ値が高いＱ値に設定される。アンテナのＱ値が低い場合、帯域幅が広いため、データ伝送を効率的に行うことができ、アンテナのＱ値が高い場合、搬送波の振幅を大きくすることができるため、充電用の電力の伝送を効率的に行うことができ、もって１つのアンテナを用いて、非接触通信と非接触充電とを効率的に行うことができる。
【０１１５】
なお、上述したアンテナ２０２，３０２は、コイルとキャパシタとを有する共振回路と、抵抗とスイッチング素子とを有するＱ値調整回路とで構成されたが、図８に示すように、コイルＬ４とキャパシタＣ４とを有する共振回路と、この共振回路の近傍に配置された、コイルＬ５とキャパシタＣ５とスイッチング素子ＳＷ５とを有するＱ値調整回路とで構成されたアンテナ４０２であってもよい。この場合、アンテナ４０２のＱ値をアンテナ２０２，３０２と比較してより高いＱ値に設定することができ、もって電力の伝送をより効率的に行うことができる。
【０１１６】
以上、本発明の実施形態に係る情報処理システム１００を構成する構成要素として情報処理装置２００を挙げて説明したが、本発明の実施形態は、かかる形態に限られない。本発明の実施形態は、例えば、リーダ／ライタ機能（すなわち、搬送波を主体的に送信する機能）を有する携帯型通信装置、リーダ／ライタ機能を有するＰＣ（Personal  Computer）などのコンピュータなど、様々な機器に適用することができる。
【０１１７】
また、本発明の実施形態に係る情報処理システム１００を構成する構成要素として充電装置３００を挙げて説明したが、本発明の実施形態は、かかる形態に限られない。本発明の実施形態は、例えば、リーダ／ライタ機能を有する充電装置など、情報処理装置２００との間で非接触通信が可能な様々な機器に適用することができる。
【０１１８】
［情報処理装置が実行する第２の通信／充電処理］
以下、本発明の実施の形態に係る情報処理装置２００が実行する第２の通信／充電処理について説明する。図９は、本発明の実施の形態に係る情報処理装置２００が実行する第２の通信／充電処理のフローチャートである。図１０は、図９に続く本発明の実施の形態に係る情報処理装置２００が実行する第２の通信／充電処理のフローチャートである。
【０１１９】
図９において、まず、情報処理装置２００の電源がオンになると、情報処理装置２００の制御部２１８は、Ｑ値設定スイッチ２０４へアンテナ２０２のＱ値を低いＱ値、例えば１０〜２０（第１の値の一例）に設定するための設定信号を送信する。その設定信号を受信したＱ値設定スイッチ２０４はアンテナ２０２のＱ値を低いＱ値に設定する（ステップＳ３０１）。
【０１２０】
次いで、制御部２１８は、通信部２１２の受信部２１４において充電装置３００から送信される、例えば１３．５６ＭＨｚの搬送波を待ち受ける（ステップＳ３０２）。
【０１２１】
次いで、制御部２１８は、受信部２１４において搬送波を受信したか否かを判別し（ステップＳ３０３）、搬送波を受信していないときは（ステップＳ３０３でＮＯ）、ステップＳ３０２の処理に戻る。
【０１２２】
ステップＳ３０３の判別の結果、受信部２１４において搬送波を受信したときは（ステップＳ３０３でＹＥＳ）、制御部２１８は、充電装置３００から送信されるリクエスト確認パケットを待ち受ける（ステップＳ３０４）。なお、ステップＳ３０４におけるリクエスト確認パケットの待ち受けの際に、搬送波の受信が途切れた場合は、ステップＳ３０２の処理に戻る。
【０１２３】
次いで、制御部２１８は、受信部２１４においてリクエスト確認パケットを受信したか否かを判別する（ステップＳ３０５）。なお、例えば図２９（Ａ）に示すように、非接触通信機能および非接触充電機能を有する充電装置３００から送信されるリクエスト確認パケット１０は、プリアンブル１２と、データ１４と、充電認証データとしての充電機能有無確認データ１６と、データ１８とで構成される。
【０１２４】
ステップＳ３０５の判別の結果、受信部２１４においてリクエスト確認パケットを受信したときは（ステップＳ３０５でＹＥＳ）、制御部２１８は、受信したリクエスト確認パケットに含まれる充電認証データが有効であるか否かを判別する（ステップＳ３０６）。
【０１２５】
ステップＳ３０６の判別の結果、充電認証データが有効でないときは（ステップＳ３０６でＮＯ）、通常の通信要求であるので、制御部２１８は、送信部２１６において通信要求パケットを充電装置３００に送信して（ステップＳ３０７）、充電装置３００と通常の通信処理を実行して（ステップＳ３０８）、ステップＳ３０４の処理に戻る。
【０１２６】
ステップＳ３０６の判別の結果、充電認証データが有効であるときは（ステップＳ３０６でＹＥＳ）、制御部２１８は、充電ＩＣ２２０からバッテリ２２２の電池残量情報を取得して、取得したバッテリ２２２の電池残量情報に基づいて、バッテリ２２２の残量が閾値以上であるか否かを判別する（ステップＳ３０９）。
【０１２７】
ステップＳ３０９の判別の結果、バッテリ２２２の残量が閾値以上であるときは（ステップＳ３０９でＹＥＳ）、制御部２１８は、情報処理装置２００に通信よりも充電を優先させる充電優先モードが設定されているか否かを判別する（ステップＳ３１０）。なお、ステップＳ３１０の充電優先モードはユーザが設定してもよく、制御部２１８が情報処理装置２００の状態を判断して設定してもよい。
【０１２８】
ステップＳ３１０の判別の結果、充電優先モードが設定されていないときは（ステップＳ３１０でＮＯ）、通信を優先するため、ステップＳ３０７の処理に進む。
【０１２９】
ステップＳ３０９の判別の結果、バッテリ２２２の残量が閾値以上でないとき（ステップＳ３０９でＮＯ）、またはステップＳ３１０の判別の結果、充電優先モードが設定されているときは（ステップＳ３１０でＹＥＳ）、制御部２１８は、送信部２１６において充電認証パケットを充電装置３００に送信する（ステップＳ３１１）。なお、例えば図２９（Ｂ）に示すように、非接触通信機能および非接触充電機能を有する情報処理装置２００が送信する充電認証パケット２０は、プリアンブル２２と、データ２４と、充電認証データとしての充電機能有無データ２６と、データ２８とで構成される。また、例えば図２９（Ｃ）に示すように、非接触通信機能のみを有する、例えば後述する図２４の情報処理装置８００が送信する充電認証パケット３０は、プリアンブル３２と、データ３４と、充電認証データとしての充電機能有無データ３６と、データ３８とで構成される。また、例えば図２９（Ｄ）に示すように、非接触通信機能のみを有する、例えば後述する図２４の情報処理装置８００が送信する他の充電認証パケット４０は、プリアンブル４２と、データ４４とで構成される。
【０１３０】
ステップＳ３１１において送信された充電認証パケットを受信した充電装置３００は、情報処理装置２００のバッテリ２２２への充電用の電力の伝送を所定の時間の経過後に開始する。そのため、制御部２１８は、Ｑ値設定スイッチ２０４へアンテナ２０２のＱ値をステップＳ３０１で設定したＱ値よりも高いＱ値、例えば５０〜数１００（第２の値の一例）に設定するための設定信号を送信する。その設定信号を受信したＱ値設定スイッチ２０４はアンテナ２０２のＱ値を高いＱ値に設定する（ステップＳ３１２）。
【０１３１】
次いで、制御部２１８は、バッテリ２２２への充電を監視する（ステップＳ３１３）。
【０１３２】
次いで、制御部２１８は、充電部２０６の受信部２０８においてバッテリ２２２への充電用の電力を受信しているか否かを判別する（ステップＳ３１４）。
【０１３３】
ステップＳ３１４の判別の結果、充電用の電力を受信しているときは（ステップＳ３１４でＹＥＳ）、制御部２１８は、充電ＩＣ２２０からバッテリ２２２の電池残量情報を取得して、バッテリ２２２が満充電であるか否かを判別する（ステップＳ３１５）。
【０１３４】
ステップＳ３１５の判別の結果、バッテリが満充電でないときは（ステップＳ３１５でＮＯ）、制御部２１８は、充電部２０６の送信部２１０において充電中パケットを充電装置３００に送信して（ステップＳ３１６）、ステップＳ３１３の処理に戻る。なお、ステップＳ３１６では、アンテナ２０２のＱ値が高いＱ値に設定されていても十分通信が可能となるように低いデータ伝送レートで通信を行う。
【０１３５】
ステップＳ３１５の判別の結果、バッテリが満充電であるときは（ステップＳ３１５でＹＥＳ）、制御部２１８は、充電部２０６の送信部２１０において充電中パケットを充電装置３００に送信することなく、ステップＳ３１３の処理に戻る。
【０１３６】
ステップＳ３１４の判別の結果、充電用の電力を受信していないとき、すなわち、制御部２１８が充電部２０６の送信部２１０において充電中パケットを送信しなかったため、充電装置３００からの電力の伝達が停止したとき、または、情報処理装置２００が充電装置３００との通信可能範囲外に持ち去られたときは（ステップＳ３１４でＮＯ）、制御部２１８は、Ｑ値設定スイッチ２０４へアンテナ２０２のＱ値を低いＱ値に設定するための設定信号を送信し、その設定信号を受信したＱ値設定スイッチ２０４はアンテナ２０２のＱ値を低いＱ値に設定して（ステップＳ３１７）、本処理を終了する。
【０１３７】
一方、ステップＳ３０５の判別の結果、通信部２１２の受信部２１４においてリクエスト確認パケットを受信しないときは（ステップＳ３０５でＮＯ）、図１０に進み、制御部２１８は、ステップＳ３０４でのリクエスト確認パケットの待ち受けから所定の時間が経過したか否かを判別する（ステップＳ３１８）。
【０１３８】
ステップＳ３１８の判別の結果、所定の時間が経過していないときは（ステップＳ３１８でＮＯ）、図９のステップＳ３０４の処理に戻る。
【０１３９】
ステップＳ３１８の判別の結果、所定の時間が経過したときは（ステップＳ３１８でＹＥＳ）、制御部２１８は、情報処理装置２００の近傍に非接触充電機能のみを有する充電装置、例えば後述する図１９の充電装置７００が存在すると想定して、Ｑ値設定スイッチ２０４へアンテナ２０２のＱ値をステップＳ３０１で設定したＱ値よりも高いＱ値、例えば５０〜数１００（第２の値の一例）に設定するための設定信号を送信する。その設定信号を受信したＱ値設定スイッチ２０４はアンテナ２０２のＱ値を高いＱ値に設定する（ステップＳ３１９）。
【０１４０】
次いで、制御部２１８は、例えば後述する図１９の充電装置７００から送信される充電認証パケットを待ち受ける（ステップＳ３２０）。なお、ステップＳ３２０では、例えば後述する図１９の充電装置７００は、アンテナ２０２のＱ値が高いＱ値に設定されていても十分通信が可能となるように低いデータ伝送レートで通信を行う。
【０１４１】
次いで、制御部２１８は、充電部２０６の受信部２０８において充電認証パケットを受信したか否かを判別する（ステップＳ３２１）。なお、例えば図３０（Ａ）に示すように、例えば後述する図１９の充電装置７００から送信される充電認証パケット５０は、プリアンブル５２と、充電認証データ５４とで構成される。
【０１４２】
ステップＳ３２１の判別の結果、受信部２０８において充電認証パケットを受信したときは（ステップＳ３２１でＹＥＳ）、制御部２１８は、受信した充電認証パケットが有効であるか否かを判別して（ステップＳ３２２）、充電認証パケットが有効でないときは（ステップＳ３２２でＮＯ）、ステップＳ３２０の処理に戻る。
【０１４３】
ステップＳ３２２の判別の結果、充電認証パケットが有効であるときは（ステップＳ３２２でＹＥＳ）、制御部２１８は、充電部２０６の送信部２１０において充電認証パケットを、例えば後述する図１９の充電装置７００に送信して（ステップＳ３２３）、図９のステップＳ３１３の処理に進む。なお、例えば図３０（Ｂ）に示すように、ステップＳ３２３で情報処理装置２００が送信する充電認証パケット６０は、プリアンブル６２と、充電認証返信データ６４とで構成される。
【０１４４】
一方、ステップＳ３２１の判別の結果、受信部２０８において充電認証パケットを受信しないときは（ステップＳ３２１でＮＯ）、制御部２１８は、ステップＳ３２０での充電認証パケットの待ち受けから所定の時間が経過したか否かを判別する（ステップＳ３２４）。
【０１４５】
ステップＳ３２４の判別の結果、所定の時間が経過していないときは（ステップＳ３２４でＮＯ）、ステップＳ３２０の処理に戻る。
【０１４６】
ステップＳ３２４の判別の結果、所定の時間が経過したときは（ステップＳ３２４でＹＥＳ）、制御部２１８は、Ｑ値設定スイッチ２０４へアンテナ２０２のＱ値を低いＱ値、例えば１０〜２０（第１の値の一例）に設定するための設定信号を送信する。その設定信号を受信したＱ値設定スイッチ２０４はアンテナ２０２のＱ値を低いＱ値に設定する（ステップＳ３２５）。そして、図９のステップＳ３０４の処理に戻る。
【０１４７】
図９および図１０の第２の通信／充電処理によれば、充電装置３００からリクエスト確認パケットなどのパケットを受信するときは、アンテナ２０２のＱ値が低いＱ値に設定され、充電装置３００からバッテリ２２２への充電用の電力が伝達されるときは、アンテナのＱ値が高いＱ値に設定される。アンテナのＱ値が低い場合、帯域幅が広いため、データ伝送を効率的に行うことができ、アンテナのＱ値が高い場合、搬送波の振幅を大きくすることができるため、充電用の電力の伝達を効率的に行うことができ、もって１つのアンテナを用いて、非接触通信と非接触充電とを効率的に行うことができる。
【０１４８】
さらに、情報処理装置２００の近傍に非接触充電機能のみを有する、例えば後述する図１９の充電装置７００が存在する場合においても、充電装置７００からバッテリ２２２への充電用の電力が伝達されるときは、アンテナのＱ値が高いＱ値に設定される。したがって、非接触充電機能のみを有する充電装置７００が近傍に存在する場合においても、１つのアンテナを用いて、非接触充電を効率的に行うことができる。
【０１４９】
［充電装置が実行する第２の通信／充電処理］
次に、本発明の実施の形態に係る充電装置３００が実行する第２の通信／充電処理について説明する。図１１は、本発明の実施の形態に係る充電装置３００が実行する第２の通信／充電処理のフローチャートである。図１２は、図１１に続く本発明の実施の形態に係る充電装置３００が実行する第２の通信／充電処理のフローチャートである。
【０１５０】
図１１において、まず、充電装置３００の電源がオンになると、充電装置３００の制御部３１８は、Ｑ値設定スイッチ３０４へアンテナ３０２のＱ値を低いＱ値、例えば１０〜２０（第１の値の一例）に設定するための設定信号を送信する。その設定信号を受信したＱ値設定スイッチ３０４はアンテナ３０２のＱ値を低いＱ値に設定する（ステップＳ４０１）。
【０１５１】
次いで、制御部３１８は、通信部３１２の送信部３１６において、例えば図２９（Ａ）に示すようなリクエスト確認パケットを送信する（ステップＳ４０２）。
【０１５２】
次いで、制御部３１８は、受信部３１４において返信パケットを受信したか否かを判別する（ステップＳ４０３）。
【０１５３】
ステップＳ４０３の判別の結果、返信パケットを受信したときは（ステップＳ４０３でＹＥＳ）、制御部３１８は、返信パケットの内容が通信要求か、または充電要求かを判別する（ステップＳ４０４）。
【０１５４】
ステップＳ４０４の判別の結果、返信パケットの内容が通信要求であるときは（ステップＳ４０４で通信要求）、制御部３１８は、充電装置３００にデータ送信要求があるか否かを判別して（ステップＳ４０５）、データ送信要求がないときは（ステップＳ４０５でＮＯ）、ステップＳ４０２の処理に戻る。
【０１５５】
ステップＳ４０５の判別の結果、データ送信要求があるときは（ステップＳ４０５でＹＥＳ）、制御部３１８は、通常の通信処理を実行して（ステップＳ４０６）、ステップＳ４０２の処理に戻る。
【０１５６】
ステップＳ４０４の判別の結果、返信パケットの内容が充電要求であるときは（ステップＳ４０４で充電要求）、制御部３１８は、Ｑ値設定スイッチ３０４へアンテナ３０２のＱ値をステップＳ４０１で設定したＱ値よりも高いＱ値、例えば５０〜数１００（第２の値の一例）に設定するための設定信号を送信する。その設定信号を受信したＱ値設定スイッチ３０４はアンテナ３０２のＱ値を高いＱ値に設定する（ステップＳ４０７）。
【０１５７】
次いで、制御部３１８は、所定の時間、待機した後に（ステップＳ４０８）、充電部３０６の送信部３１０において情報処理装置２００のバッテリ２２２への充電用の電力を伝送する（ステップＳ４０９）。
【０１５８】
次いで、制御部３１８は、所定の時間おきに、充電部３０６の受信部３０８において情報処理装置２００から送信される充電中パケットを受信したか否かを判別する（ステップＳ４１０）。
【０１５９】
ステップＳ４１０の判別の結果、充電中パケットを受信したときは（ステップＳ４１０でＹＥＳ）、情報処理装置２００のバッテリ２２２への充電は完了していないため、ステップＳ４０９の処理に戻る。
【０１６０】
ステップＳ４１０の判別の結果、充電中パケットを受信しないときは（ステップＳ４１０でＮＯ）、情報処理装置２００のバッテリ２２２への充電は完了した、または情報処理装置２００が充電装置３００との通信可能範囲外に持ち去られたので、制御部３１８は、充電部３０６の送信部３１０において充電用の電力の伝送を中止する（ステップＳ４１１）。
【０１６１】
次いで、制御部３１８は、Ｑ値設定スイッチ３０４へアンテナ３０２のＱ値を低いＱ値に設定するための設定信号を送信し、その設定信号を受信したＱ値設定スイッチ３０４はアンテナ３０２のＱ値を低いＱ値に設定して（ステップＳ４１２）、本処理を終了する。
【０１６２】
一方、ステップＳ４０３の判別の結果、返信パケットを受信しないときは（ステップＳ４０３でＮＯ）、図１２に進み、制御部３１８は、ステップＳ４０２でのリクエスト確認パケットの送信から所定の時間が経過したか否かを判別する（ステップＳ４１３）。
【０１６３】
ステップＳ４１３の判別の結果、所定の時間が経過していないときは（ステップＳ４１３でＮＯ）、図１１のステップＳ４０３の処理に戻る。
【０１６４】
ステップＳ４１３の判別の結果、所定の時間が経過したときは（ステップＳ４１３でＹＥＳ）、制御部３１８は、充電装置３００の近傍に非接触充電機能のみを有する情報処理装置、例えば後述する図２７の情報処理装置９００が存在すると想定して、Ｑ値設定スイッチ３０４へアンテナ３０２のＱ値をステップＳ４０１で設定したＱ値よりも高いＱ値、例えば５０〜数１００（第２の値の一例）に設定するための設定信号を送信する。その設定信号を受信したＱ値設定スイッチ３０４はアンテナ３０２のＱ値を高いＱ値に設定する（ステップＳ４１４）。
【０１６５】
次いで、制御部３１８は、充電部３０６の送信部３１０において充電認証パケットを送信する（ステップＳ４１５）。なお、ステップＳ４１５では、充電装置３００は、アンテナ３０２のＱ値が高いＱ値に設定されていても十分通信が可能となるように低いデータ伝送レートで通信を行う。
【０１６６】
次いで、制御部３１８は、充電部３０６の受信部３０８において返信パケットを受信したか否かを判別する（ステップＳ４１６）。
【０１６７】
ステップＳ４１６の判別の結果、返信パケットを受信したときは（ステップＳ４１６でＹＥＳ）、制御部３１８は、受信した返信パケットが有効であるか否かを判別して（ステップＳ４１７）、返信パケットが有効でないときは（ステップＳ４１７でＮＯ）、ステップＳ４１６の処理に戻る。
【０１６８】
ステップＳ４１７の判別の結果、返信パケットが有効であるときは（ステップＳ４１７でＹＥＳ）、図１１のステップＳ４０９の処理に進む。
【０１６９】
ステップＳ４１６の判別の結果、返信パケットを受信しないときは（ステップＳ４１６でＮＯ）、制御部３１８は、ステップＳ４１５での充電認証パケットの送信から所定の時間が経過したか否かを判別する（ステップＳ４１８）。
【０１７０】
ステップＳ４１８の判別の結果、所定の時間が経過していないときは（ステップＳ４１８でＮＯ）、ステップＳ４１６の処理に戻る。
【０１７１】
ステップＳ４１８の判別の結果、所定の時間が経過したときは（ステップＳ４１８でＹＥＳ）、図１１のステップＳ４０１の処理に戻る。
【０１７２】
図１１および図１２の第２の通信／充電処理によれば、リクエスト確認パケットなどのパケットを送信するときは、アンテナ３０２のＱ値が低いＱ値に設定され、情報処理装置２００のバッテリ２２２への充電用の電力を伝送するときは、アンテナのＱ値が高いＱ値に設定される。したがって、上述した図９および図１０の第２の通信／充電処理と同様の効果を奏することができる。
【０１７３】
さらに、充電装置３００の近傍に非接触充電機能のみを有する、例えば図２７の情報処理装置９００が存在する場合においても、情報処理装置９００のバッテリ９２２への充電用の電力を伝送するときは、アンテナのＱ値が高いＱ値に設定される。したがって、非接触充電機能のみを有する情報処理装置９００が近傍に存在する場合においても、１つのアンテナを用いて、非接触充電を効率的に行うことができる。
【０１７４】
［情報処理装置が実行する第３の通信／充電処理］
次に、本発明の実施の形態に係る情報処理装置２００が実行する第３の通信／充電処理について説明する。図１３は、本発明の実施の形態に係る情報処理装置２００が実行する第３の通信／充電処理のフローチャートである。本処理は、情報処理装置２００において通信部２１２への電力供給が不可能なほどバッテリ２２２の電力が消耗した場合に実行される処理である。
【０１７５】
図１３において、まず、情報処理装置２００において通信部２１２への電力供給が不可能なほどバッテリ２２２の電力が消耗して情報処理装置２００の電源がオフになると（ステップＳ５０１）、制御部２１８は、Ｑ値設定スイッチ２０４へアンテナ２０２のＱ値を高いＱ値、例えば５０〜数１００（第２の値の一例）に設定するための設定信号を送信する。その設定信号を受信したＱ値設定スイッチ２０４はアンテナ２０２のＱ値を高いＱ値に設定する（ステップＳ５０２）。
【０１７６】
次いで、充電部２０６の受信部２０８において、例えば充電装置３００または後述する図１９の充電装置７００から電力を受信すると、受信した電力によって充電部２０６は起動する（ステップＳ５０３）。
【０１７７】
次いで、制御部２１８は、例えば充電装置３００または後述する図１９の充電装置７００から送信される充電認証パケットを待ち受ける（ステップＳ５０４）。なお、ステップＳ５０４では、例えば充電装置３００や後述する図１９の充電装置７００は、アンテナ２０２のＱ値が高いＱ値に設定されていても十分通信が可能となるように低いデータ伝送レートで通信を行う。
【０１７８】
次いで、制御部２１８は、充電部２０６の受信部２０８において充電認証パケットを受信したか否かを判別して（ステップＳ５０５）、充電認証パケットを受信していないときは（ステップＳ５０５でＮＯ）、ステップＳ５０４の処理に戻る。
【０１７９】
ステップＳ５０５の判別の結果、受信部２０８において充電認証パケットを受信したときは（ステップＳ５０５でＹＥＳ）、制御部２１８は、受信した充電認証パケットが有効であるか否かを判別して（ステップＳ５０６）、充電認証パケットが有効でないときは（ステップＳ５０６でＮＯ）、ステップＳ５０４の処理に戻る。
【０１８０】
ステップＳ５０６の判別の結果、充電認証パケットが有効であるときは（ステップＳ５０６でＹＥＳ）、制御部２１８は、充電部２０６の送信部２１０において充電認証パケットを、例えば充電装置３００または後述する図１９の充電装置７００に送信する（ステップＳ５０７）。
【０１８１】
次いで、制御部２１８は、バッテリ２２２への充電を監視する（ステップＳ５０８）。
【０１８２】
次いで、制御部２１８は、充電部２０６の受信部２０８において搬送波を受信しているか否かを判別する（ステップＳ５０９）。
【０１８３】
ステップＳ５０９の判別の結果、充電部２０６の受信部２０８において搬送波を受信しているときは（ステップＳ５０９でＹＥＳ）、制御部２１８は、充電部２０６の受信部２０８においてバッテリ２２２への充電用の電力を受信しているか否かを判別する（ステップＳ５１０）。
【０１８４】
ステップＳ５１０の判別の結果、充電用の電力を受信しているときは（ステップＳ５１０でＹＥＳ）、制御部２１８は、充電ＩＣ２２０からバッテリ２２２の電池残量情報を取得して、バッテリ２２２が満充電であるか否かを判別する（ステップＳ５１１）。
【０１８５】
ステップＳ５１１の判別の結果、バッテリが満充電でないときは（ステップＳ５１１でＮＯ）、制御部２１８は、充電部２０６の送信部２１０において充電中パケットを、例えば充電装置３００または後述する図１９の充電装置７００に送信して（ステップＳ５１２）、ステップＳ５０８の処理に戻る。なお、ステップＳ５１２では、アンテナ２０２のＱ値が高いＱ値に設定されていても十分通信が可能となるように低いデータ伝送レートで通信を行う。
【０１８６】
ステップＳ５１１の判別の結果、バッテリが満充電であるときは（ステップＳ５１１でＹＥＳ）、制御部２１８は、充電部２０６の送信部２１０において充電中パケットを充電装置３００に送信することなく、ステップＳ５０８の処理に戻る。
【０１８７】
ステップＳ５１０の判別の結果、充電用の電力を受信していないとき、すなわち、制御部２１８が充電部２０６の送信部２１０において充電中パケットを送信しなかったため、充電装置３００からの電力の伝達が停止したときは（ステップＳ５１０でＮＯ）、制御部２１８は、Ｑ値設定スイッチ２０４へアンテナ２０２のＱ値を低いＱ値に設定するための設定信号を送信し、その設定信号を受信したＱ値設定スイッチ２０４はアンテナ２０２のＱ値を低いＱ値に設定して（ステップＳ５１３）、本処理を終了する。
【０１８８】
一方、ステップＳ５０９の判別の結果、充電部２０６の受信部２０８において搬送波を受信していないとき、すなわち情報処理装置２００が充電装置３００との通信可能範囲外に持ち去られたときは（ステップＳ５０９でＮＯ）、制御部２１８は、充電ＩＣ２２０からバッテリ２２２の電池残量情報を取得して、バッテリ２２２の残量が閾値以上であるか否かを判別する（ステップＳ５１４）。
【０１８９】
ステップＳ５１４の判別の結果、バッテリ２２２の残量が閾値以上であるときは（ステップＳ５１４でＹＥＳ）、ステップＳ５１３の処理に進む。
【０１９０】
ステップＳ５１４の判別の結果、バッテリ２２２の残量が閾値以上でないときは（ステップＳ５１４でＮＯ）、本処理を終了する。
【０１９１】
図１３の第３の通信／充電処理によれば、情報処理装置２００において通信部２１２への電力供給が不可能なほどバッテリ２２２の電力が消耗して情報処理装置２００の電源がオフになると、アンテナ２０２のＱ値が高いＱ値に設定されるので、情報処理装置２００の電源がオフとなり非接触通信が行えない状態においても、非接触充電を効率的に行うことができる。
【０１９２】
［本発明の第２の実施の形態に係る情報処理システムの構成］
以下、本発明の第２の実施の形態に係る情報処理システムについて説明する。図１４Ａおよび図１４Ｂは、本発明の第２の実施の形態に係る情報処理システムを説明するための説明図である。
【０１９３】
図１４Ａにおいて、情報処理システム１１０は、上述した図２の情報処理装置２００と、非接触通信機能のみを有するリーダ／ライタ５００とから構成される。
【０１９４】
情報処理装置２００は、内部にバッテリ（図示せず）を備え、リーダ／ライタ５００との通信時に使用する１つのアンテナ２０２を搭載している。
【０１９５】
リーダ／ライタ５００は、情報処理装置２００との通信時に使用する１つのアンテナ５０２を搭載している。
【０１９６】
情報処理システム１１０では、図１４Ｂに示すように、情報処理装置２００がリーダ／ライタ５００上に載置された際、または情報処理装置２００がリーダ／ライタ５００に接近した際に、非接触式の通信を行う。
【０１９７】
本実施の形態に係る情報処理システム１１０では、情報処理装置２００が上述した図９および図１０の第２の通信／充電処理を実行し、リーダ／ライタ５００が後述する図１６の通信処理を実行する。これにより、双方の装置において、１つのアンテナを用いて、情報処理装置２００とリーダ／ライタ５００との間での非接触通信を効率的に行うことができる。
【０１９８】
［本発明の第２の実施の形態に係るリーダ／ライタの概略構成］
次に、本発明の第２の実施の形態に係るリーダ／ライタについて説明する。図１５は、本発明の第２の実施の形態に係るリーダ／ライタ５００の概略構成を示すブロック図である。
【０１９９】
図１５において、リーダ／ライタ５００は、アンテナ５０２と、通信部５１２と、制御部５１８と、ＡＣ電源５２２に接続された電源ＩＣ５２０とを備える。
【０２００】
アンテナ５０２は、ポーリング信号や通信パケットを送信する。なお、アンテナ５０２のＱ値は低いＱ値に設定されている。通信部５１２は、情報処理装置２００から送信される返信パケットを受信する受信部５１４と、ポーリング信号や通信パケットを送信する送信部５１６とを有する。
【０２０１】
制御部５１８は、通信部５１２、電源ＩＣ５２０の制御を行う。電源ＩＣ５２０は、ＡＣ電源５２２からの電力を効率的にリーダ／ライタ５００の各部に供給する。なお、電源ＩＣ５２０は、ＤＣ電源（図示せず）からの電力をリーダ／ライタ５００の各部に供給してもよい。
【０２０２】
［本発明の第２の実施の形態に係るリーダ／ライタが実行する通信処理］
次に、本発明の第２の実施の形態に係るリーダ／ライタ５００が実行する通信処理について説明する。図１６は、本発明の第２の実施の形態に係るリーダ／ライタ５００が実行する通信処理のフローチャートである。
【０２０３】
図１６において、まず、リーダ／ライタ５００の電源がオンになると、制御部５１８は、通信部５１２の送信部５１６においてポーリング信号を送信する（ステップＳ６０１）。
【０２０４】
次いで、制御部５１８は、通信部５１２の受信部５１４において返信パケットを受信したか否かを判別する（ステップＳ６０２）。
【０２０５】
ステップＳ６０２の判別の結果、返信パケットを受信していないときは（ステップＳ６０２でＮＯ）、ステップＳ６０１の処理に戻る。
【０２０６】
ステップＳ６０２の判別の結果、返信パケットを受信したときは（ステップＳ６０２でＹＥＳ）、制御部５１８は、受信した返信パケットが有効であるか否かを判別する（ステップＳ６０３）。
【０２０７】
ステップＳ６０３の判別の結果、返信パケットが有効でないときは（ステップＳ６０３でＮＯ）、ステップＳ６０１の処理に戻る。
【０２０８】
ステップＳ６０３の判別の結果、返信パケットが有効であるときは（ステップＳ６０３でＹＥＳ）、制御部５１８は、通常の非接触式の通信処理を実行して（ステップＳ６０４）、本処理を終了する。
【０２０９】
［本発明の第３の実施の形態に係る情報処理システムの構成］
以下、本発明の第３の実施の形態に係る情報処理システムについて説明する。図１７Ａおよび図１７Ｂは、本発明の第３の実施の形態に係る情報処理システムを説明するための説明図である。
【０２１０】
図１７Ａにおいて、情報処理システム１２０は、携帯電話端末などの情報処理装置６００と、非接触充電機能のみを有する充電装置７００とから構成される。
【０２１１】
情報処理装置６００は、内部にバッテリ（図示せず）を備え、バッテリへの充電用の電力の伝達時に使用する１つのアンテナ６０２を搭載している。
【０２１２】
充電装置７００は、情報処理装置６００が備えるバッテリへの充電用の電力の伝送時に使用する１つのアンテナ７０２を搭載している。
【０２１３】
情報処理システム１２０では、図１７Ｂに示すように、情報処理装置６００が充電装置７００上に載置された際、または情報処理装置６００が充電装置７００に接近した際に、情報処理装置６００が備えるバッテリへの非接触式の充電を行う。
【０２１４】
本実施の形態に係る情報処理システム１２０では、情報処理装置６００が後述する図２０および図２１の通信／充電処理を実行し、充電装置７００が後述する図２２の充電処理を実行する。これにより、双方の装置において、１つのアンテナを用いて、情報処理装置６００と充電装置７００との間での非接触充電を効率的に行うことができる。
【０２１５】
［本発明の第３の実施の形態に係る情報処理装置の構成］
次に、本発明の第３の実施の形態に係る情報処理装置６００について説明する。図１８は、本発明の第３の実施の形態に係る情報処理装置６００の概略構成を示すブロック図である。
【０２１６】
図１８において、情報処理装置６００は、アンテナ６０２と、Ｑ値設定スイッチ６０４と、充電部６０６と、通信部６１２と、制御部６１８と、充電ＩＣ６２０と、バッテリ６２２と、電圧検知回路６２４と、グランド（ＧＮＤ）６２８に接続された制限抵抗６２６とを備える。
【０２１７】
アンテナ６０２は、充電装置７００から送信されるパケットを受信する。また、アンテナ６０２は、充電装置７００からバッテリ６２２への充電用の電力が伝達される。
【０２１８】
Ｑ値設定スイッチ６０４は、制御部６１８から送信される設定信号に基づいて、アンテナ６０２のＱ値を選択的に設定する。例えば、Ｑ値設定スイッチ６０４は、アンテナ６０２のＱ値が低いＱ１値、低いＱ２値、または高いＱ値となるように、アンテナ６０２のＱ値を選択的に設定する。
【０２１９】
充電部６０６は、アンテナ６０２に伝達されたバッテリ６２２への充電用の電力を受信する受信部６０８を有する。また、充電部６０６は、バッテリ６２２への充電が完了するまで間欠的に充電装置７００へ充電用の電力の伝送の継続を要求するための充電中パケットを送信する送信部６１０を有する。なお、送信部６１０は、充電中パケットの送信を負荷変調により行い、また、通常のデータ伝送レートよりも低いデータ伝送レートで行う。
【０２２０】
通信部６１２は、アンテナ６０２が受信したパケットを受信する受信部６１４を有する。また、通信部６１２は、応答パケットを充電装置７００へ送信する送信部６１６とを有する。なお、送信部６１６は、応答パケットの送信を負荷変調により行い、また、通常のデータ伝送レートで行う。
【０２２１】
制御部６１８は、Ｑ値設定スイッチ６０４、充電部６０６、通信部６１２、充電ＩＣ６２０、電圧検知回路６２４の制御を行う。なお、制御部６１８は、電圧検知回路６２４から送信される制御信号に基づいて、アンテナ６０２と制限抵抗６２６との接続を制御する。
【０２２２】
充電ＩＣ６２０は、バッテリ６２２への充電を行い、また、バッテリ６２２からの電力を効率的に情報処理装置６００の各部に供給する。
【０２２３】
電圧検知回路６２４は、アンテナ６０２に入力される電圧を検知して、入力された電圧に応じた制御信号を制御部６１８に送信する。そして、制御部６１８は、電圧検知回路６２４から送信された制御信号に基づいて、アンテナ６０２のＱ値が低いＱ１値に設定されている場合において、アンテナ６０２にバッテリ６２２の充電の際の大電圧が入力されたときに、Ｑ値設定スイッチ６０４へアンテナ６０２のＱ値を低いＱ２値に設定するための設定信号を送信する。
【０２２４】
制限抵抗６２６は、アンテナ６０２のＱ値が低いＱ１値に設定されている場合において、アンテナ６０２にバッテリ６２２の充電の際の大電圧が入力されたときに、通信部６１２が破壊されないようにするためのものである。
【０２２５】
［本発明の第３の実施の形態に係る充電装置の構成］
次に、本発明の第３の実施の形態に係る充電装置について説明する。図１９は、本発明の第３の実施の形態に係る充電装置の概略構成を示すブロック図である。
【０２２６】
図１９において、充電装置７００は、アンテナ７０２と、充電部７０６と、制御部７１８と、ＡＣ電源７２２に接続された電源ＩＣ７２０とを備える。
【０２２７】
アンテナ７０２は、充電認証パケットを送信し、また、情報処理装置６００が備えるバッテリ６２２への充電用の電力を伝送する。なお、アンテナ７０２のＱ値は高いＱ値に設定されている。充電部７０６は、情報処理装置６００から送信される充電中パケットを受信する受信部７０８と、情報処理装置６００が備えるバッテリ６２２への充電用の電力を伝送する送信部７１０とを有する。
【０２２８】
制御部７１８は、充電部７０６、電源ＩＣ７２０の制御を行う。電源ＩＣ７２０は、ＡＣ電源７２２からの電力を効率的に充電装置７００の各部に供給する。なお、電源ＩＣ７２０は、ＤＣ電源（図示せず）からの電力を充電装置７００の各部に供給してもよい。
【０２２９】
［本発明の第３の実施の形態に係る情報処理装置が実行する通信／充電処理］
次に、本発明の第３の実施の形態に係る情報処理装置６００が実行する通信／充電処理について説明する。図２０は、本発明の第３の実施の形態に係る情報処理装置６００が実行する通信／充電処理のフローチャートである。図２１は、図２０に続く本発明の第３の実施の形態に係る情報処理装置６００が実行する通信／充電処理のフローチャートである。
【０２３０】
図２０において、まず、情報処理装置６００の電源がオンになると、情報処理装置６００の制御部６１８は、Ｑ値設定スイッチ６０４へアンテナ６０２のＱ値を低いＱ１値、例えば１０〜２０（第１の値の一例）に設定するための設定信号を送信する。その設定信号を受信したＱ値設定スイッチ６０４はアンテナ６０２のＱ値を低いＱ１値に設定する（ステップＳ７０１）。
【０２３１】
次いで、制御部６１８は、通信部６１２の受信部６１４において充電装置７００から送信される、例えば１３．５６ＭＨｚの搬送波を待ち受ける（ステップＳ７０２）。
【０２３２】
次いで、制御部６１８は、受信部６１４において搬送波を受信したか否かを判別し（ステップＳ７０３）、搬送波を受信していないときは（ステップＳ７０３でＮＯ）、ステップＳ７０２の処理へ戻る。
【０２３３】
ステップＳ７０３の判別の結果、受信部６１４において搬送波を受信したときは（ステップＳ７０３でＹＥＳ）、制御部６１８は、電圧検知回路６２４から送信される制御信号に基づいて、アンテナ６０２に入力された電圧が第１の閾値以上であるか否かを判別する（ステップＳ７０４）。なお、第１の閾値以上の電圧がアンテナ６０２に入力された場合において、Ｑ値設定スイッチ６０４においてアンテナ６０２のＱ値が低いＱ１値に設定されているときは、通信部６１２の回路が破壊される虞がある。すなわち、第１の閾値は、通信部６１２の回路が破壊されないようにその値が設定されるものである。
【０２３４】
ステップＳ７０４の判別の結果、アンテナ６０２に入力された電圧が第１の閾値以上であるときは（ステップＳ７０４でＹＥＳ）、制御部６１８は、Ｑ値設定スイッチ６０４へアンテナ６０２のＱ値を低いＱ２値、例えば１０〜２０に設定するための設定信号を送信する。その設定信号を受信したＱ値設定スイッチ６０４はアンテナ６０２のＱ値を低いＱ２値に設定する（ステップＳ７０５）。すなわち、ステップＳ７０５では、アンテナ６０２と制限抵抗６２６とを接続する。
【０２３５】
次いで、制御部６１８は、電圧検知回路６２４から送信される制御信号に基づいて、アンテナ６０２に入力された電圧が第２の閾値以上であるか否かを判別する（ステップＳ７０６）。
【０２３６】
ステップＳ７０６の判別の結果、アンテナ６０２に入力された電圧が第２の閾値以上であるときは（ステップＳ７０６でＹＥＳ）、ステップＳ７０６の処理を繰り返す。
【０２３７】
ステップＳ７０６の判別の結果、アンテナ６０２に入力された電圧が第２の閾値以上でないときは（ステップＳ７０６でＮＯ）、ステップＳ７０１の処理に戻る。すなわち、続くステップＳ７０１において、アンテナ６０２と制限抵抗６２６との接続を遮断する。なお、ステップＳ７０４とステップＳ７０６とで異なる閾値を用いているのは、第２の閾値は第１の閾値から制限抵抗６２６における電圧降下を考慮したことによる。
【０２３８】
一方、ステップＳ７０４の判別の結果、アンテナ６０２に入力された電圧が第１の閾値以上でないときは（ステップＳ７０４でＮＯ）、制御部６１８は、外部から送信されるリクエスト確認パケットを待ち受ける（ステップＳ７０７）。なお、ステップＳ７０７におけるリクエスト確認パケットの待ち受けの際に、搬送波の受信が途切れた場合は、ステップＳ７０２の処理に戻る。
【０２３９】
次いで、制御部６１８は、受信部６１４においてリクエスト確認パケットを受信したか否かを判別する（ステップＳ７０８）。
【０２４０】
ステップＳ７０８の判別の結果、受信部６１４においてリクエスト確認パケットを受信したときは（ステップＳ７０８でＹＥＳ）、制御部６１８は、受信したリクエスト確認パケットに含まれる充電認証データが有効であるか否かを判別する（ステップＳ７０９）。
【０２４１】
ステップＳ７０９の判別の結果、充電認証データが有効でないときは（ステップＳ７０９でＮＯ）、通常の通信要求であるので、制御部６１８は、送信部６１６において通信要求パケットを外部に送信して（ステップＳ７１０）、外部と通常の非接触式の通信処理を実行して（ステップＳ７１１）、ステップＳ７０７の処理に戻る。
【０２４２】
ステップＳ７０９の判別の結果、充電認証データが有効であるときは（ステップＳ７０９でＹＥＳ）、制御部６１８は、充電ＩＣ６２０からバッテリ６２２の電池残量情報を取得して、取得したバッテリ６２２の電池残量情報に基づいて、バッテリ６２２の残量が閾値以上であるか否かを判別する（ステップＳ７１２）。
【０２４３】
ステップＳ７１２の判別の結果、バッテリ６２２の残量が閾値以上であるときは（ステップＳ７１２でＹＥＳ）、制御部６１８は、情報処理装置６００に通信よりも充電を優先させる充電優先モードが設定されているか否かを判別する（ステップＳ７１３）。なお、ステップＳ７１３の充電優先モードはユーザが設定してもよく、制御部６１８が情報処理装置６００の状態を判断して設定してもよい。
【０２４４】
ステップＳ７１３の判別の結果、充電優先モードが設定されていないときは（ステップＳ７１３でＮＯ）、通信を優先するため、ステップＳ７１０の処理に進む。
【０２４５】
ステップＳ７１２の判別の結果、バッテリ６２２の残量が閾値以上でないとき（ステップＳ７１２でＮＯ）、またはステップＳ７１３の判別の結果、充電優先モードが設定されているときは（ステップＳ７１３でＹＥＳ）、制御部６１８は、送信部６１６において充電認証パケットを充電装置７００に送信する（ステップＳ７１４）。
【０２４６】
ステップＳ７１４において送信された充電認証パケットを受信した充電装置７００は、情報処理装置６００のバッテリ６２２への充電用の電力の伝送を所定の時間の経過後に開始する。そのため、制御部６１８は、Ｑ値設定スイッチ６０４へアンテナ６０２のＱ値をステップＳ７０１で設定したＱ値よりも高いＱ値、例えば５０〜数１００（第２の値の一例）に設定するための設定信号を送信する。その設定信号を受信したＱ値設定スイッチ６０４はアンテナ６０２のＱ値を高いＱ値に設定する（ステップＳ７１５）。
【０２４７】
次いで、制御部６１８は、バッテリ６２２への充電を監視する（ステップＳ７１６）。
【０２４８】
次いで、制御部６１８は、充電部６０６の受信部６０８においてバッテリ６２２への充電用の電力を受信しているか否かを判別する（ステップＳ７１７）。
【０２４９】
ステップＳ７１７の判別の結果、充電用の電力を受信しているときは（ステップＳ７１７でＹＥＳ）、制御部６１８は、充電ＩＣ６２０からバッテリ６２２の電池残量情報を取得して、バッテリ６２２が満充電であるか否かを判別する（ステップＳ７１８）。
【０２５０】
ステップＳ７１８の判別の結果、バッテリが満充電でないときは（ステップＳ７１８でＮＯ）、制御部６１８は、充電部６０６の送信部６１０において充電中パケットを充電装置７００に送信して（ステップＳ７１９）、ステップＳ７１６の処理に戻る。なお、ステップＳ７１９では、アンテナ６０２のＱ値が高いＱ値に設定されていても十分通信が可能となるように低いデータ伝送レートで通信を行う。
【０２５１】
ステップＳ７１８の判別の結果、バッテリが満充電であるときは（ステップＳ７１８でＹＥＳ）、制御部６１８は、充電部６０６の送信部６１０において充電中パケットを充電装置７００に送信することなく、ステップＳ７１６の処理に戻る。
【０２５２】
ステップＳ７１７の判別の結果、充電用の電力を受信していないとき、すなわち、制御部６１８が充電部６０６の送信部６１０において充電中パケットを送信しなかったため、充電装置７００からの電力の伝達が停止したとき、または、情報処理装置６００が充電装置７００との通信可能範囲外に持ち去られたときは（ステップＳ７１７でＮＯ）、制御部６１８は、Ｑ値設定スイッチ６０４へアンテナ６０２のＱ値を低いＱ１値に設定するための設定信号を送信し、その設定信号を受信したＱ値設定スイッチ６０４はアンテナ６０２のＱ値を低いＱ１値に設定して（ステップＳ７２０）、本処理を終了する。
【０２５３】
一方、ステップＳ７０８の判別の結果、通信部６１２の受信部６１４においてリクエスト確認パケットを受信しないときは（ステップＳ７０８でＮＯ）、図２１に進み、制御部６１８は、ステップＳ７０７でのリクエスト確認パケットの待ち受けから所定の時間が経過したか否かを判別する（ステップＳ７２１）。
【０２５４】
ステップＳ７２１の判別の結果、所定の時間が経過していないときは（ステップＳ７２１でＮＯ）、図２０のステップＳ７０７の処理に戻る。
【０２５５】
ステップＳ７２１の判別の結果、所定の時間が経過したときは（ステップＳ７２１でＹＥＳ）、制御部６１８は、情報処理装置６００の近傍に非接触充電機能のみを有する充電装置７００が存在すると想定して、Ｑ値設定スイッチ６０４へアンテナ６０２のＱ値をステップＳ７０１で設定したＱ値よりも高いＱ値、例えば５０〜数１００（第２の値の一例）に設定するための設定信号を送信する。その設定信号を受信したＱ値設定スイッチ６０４はアンテナ６０２のＱ値を高いＱ値に設定する（ステップＳ７２２）。
【０２５６】
次いで、制御部６１８は、充電装置７００から送信される充電認証パケットを待ち受ける（ステップＳ７２３）。なお、ステップＳ７２３では、例えば充電装置７００は、アンテナ６０２のＱ値が高いＱ値に設定されていても十分通信が可能となるように低いデータ伝送レートで通信を行う。
【０２５７】
次いで、制御部６１８は、充電部６０６の受信部６０８において充電認証パケットを受信したか否かを判別する（ステップＳ７２４）。
【０２５８】
ステップＳ７２４の判別の結果、受信部６０８において充電認証パケットを受信したときは（ステップＳ７２４でＹＥＳ）、制御部６１８は、受信した充電認証パケットが有効であるか否かを判別して（ステップＳ７２５）、充電認証パケットが有効でないときは（ステップＳ７２５でＮＯ）、ステップＳ７２３の処理に戻る。
【０２５９】
ステップＳ７２５の判別の結果、充電認証パケットが有効であるときは（ステップＳ７２５でＹＥＳ）、制御部６１８は、充電部６０６の送信部６１０において充電認証パケットを充電装置７００に送信して（ステップＳ７２６）、図２０のステップＳ７１６の処理に進む。
【０２６０】
一方、ステップＳ７２４の判別の結果、受信部６０８において充電認証パケットを受信しないときは（ステップＳ７２４でＮＯ）、制御部６１８は、ステップＳ７２３での充電認証パケットの待ち受けから所定の時間が経過したか否かを判別する（ステップＳ７２７）。
【０２６１】
ステップＳ７２７の判別の結果、所定の時間が経過していないときは（ステップＳ７２７でＮＯ）、ステップＳ７２３の処理に戻る。
【０２６２】
ステップＳ７２７の判別の結果、所定の時間が経過したときは（ステップＳ７２７でＹＥＳ）、制御部６１８は、Ｑ値設定スイッチ６０４へアンテナ６０２のＱ値を低いＱ１値、例えば１０〜２０（第１の値の一例）に設定するための設定信号を送信する。その設定信号を受信したＱ値設定スイッチ６０４はアンテナ６０２のＱ値を低いＱ１値に設定する（ステップＳ７２８）。そして、図２０のステップＳ７０７の処理に戻る。
【０２６３】
図２０および図２１の通信／充電処理によれば、情報処理装置６００の近傍に非接触充電機能のみを有する充電装置７００が存在する場合においても、充電装置７００からバッテリ６２２への充電用の電力が伝達されるときは、アンテナのＱ値が高いＱ値に設定される。したがって、非接触充電機能のみを有する充電装置７００が近傍に存在する場合においても、１つのアンテナを用いて、非接触充電を効率的に行うことができる。
【０２６４】
さらに、Ｑ値設定スイッチ６０４においてアンテナ６０２のＱ値が低いＱ１値に設定されている場合において、アンテナ６０２に第１の閾値以上の電圧が入力されるときに、アンテナ６０２のＱ値が低いＱ２値に設定される。したがって、アンテナ６０２と制限抵抗６２６とが接続される。これにより、通信部６１２に大電圧が印加されて通信部６１２の回路が破壊されることを防止することができる。
【０２６５】
［本発明の第３の実施の形態に係る充電装置が実行する充電処理］
次に、本発明の第３の実施の形態に係る充電装置７００が実行する充電処理について説明する。図２２は、本発明の第３の実施の形態に係る充電装置７００が実行する充電処理のフローチャートである。
【０２６６】
図２２において、まず、充電装置７００の制御部７１８は、充電部７０６の送信部７１０において充電認証パケットを送信する（ステップＳ８０１）。なお、ステップＳ８０１では、充電装置７００は、アンテナ７０２のＱ値が高いＱ値に設定されていても十分通信が可能となるように低いデータ伝送レートで通信を行う。
【０２６７】
次いで、制御部７１８は、充電部７０６の受信部７０８において返信パケットを受信したか否かを判別して（ステップＳ８０２）、返信パケットを受信しないときは（ステップＳ８０２でＮＯ）、ステップＳ８０１の処理に戻る。
【０２６８】
ステップＳ８０２の判別の結果、返信パケットを受信したときは（ステップＳ８０２でＹＥＳ）、制御部７１８は、受信した返信パケットが有効であるか否かを判別して（ステップＳ８０３）、返信パケットが有効でないときは（ステップＳ８０３でＮＯ）、ステップＳ８０１の処理に戻る。
【０２６９】
ステップＳ８０３の判別の結果、返信パケットが有効であるときは（ステップＳ８０３でＹＥＳ）、制御部７１８は、充電部７０６の送信部７１０において情報処理装置６００のバッテリ６２２への充電用の電力を伝送する（ステップＳ８０４）。
【０２７０】
次いで、制御部７１８は、所定の時間おきに、充電部７０６の受信部７０８において情報処理装置６００から送信される充電中パケットを受信したか否かを判別する（ステップＳ８０５）。
【０２７１】
ステップＳ８０５の判別の結果、充電中パケットを受信したときは（ステップＳ８０５でＹＥＳ）、情報処理装置６００のバッテリ６２２への充電は完了していないため、ステップＳ８０４の処理に戻る。
【０２７２】
ステップＳ８０５の判別の結果、充電中パケットを受信しないときは（ステップＳ８０５でＮＯ）、情報処理装置６００のバッテリ６２２への充電は完了した、または情報処理装置６００が充電装置７００との通信可能範囲外に持ち去られたので、制御部７１８は、充電部７０６の送信部７１０において充電用の電力の伝送を中止して（ステップＳ８０６）、本処理を終了する。
【０２７３】
［本発明の第４の実施の形態に係る情報処理システムの構成］
以下、本発明の第４の実施の形態に係る情報処理システムについて説明する。図２３Ａおよび図２３Ｂは、本発明の第４の実施の形態に係る情報処理システムを説明するための説明図である。
【０２７４】
図２３Ａにおいて、情報処理システム１３０は、非接触通信機能のみを有する携帯電話端末などの情報処理装置８００と、充電装置３００とから構成される。なお、充電装置３００は、リーダ／ライタ機能を有する充電装置であってもよい。
【０２７５】
情報処理装置８００は、内部にバッテリ（図示せず）を備え、充電装置３００との通信時に使用する１つのアンテナ８０２を搭載している。
【０２７６】
充電装置３００は、情報処理装置８００との通信時、および例えば上述した図２の情報処理装置２００が備えるバッテリへの充電用の電力の伝送時に使用する１つのアンテナ３０２を搭載している。
【０２７７】
情報処理システム１３０では、図２３Ｂに示すように、情報処理装置８００が充電装置３００上に載置された際、または情報処理装置８００が充電装置３００に接近した際に、非接触式の通信を行う。
【０２７８】
本実施の形態に係る情報処理システム１３０では、情報処理装置８００が後述する図２５の通信処理を実行し、充電装置３００が上述した図１１および図１２の第２の通信／充電処理を実行する。これにより、双方の装置において、１つのアンテナを用いて、情報処理装置８００と充電装置３００との間での非接触通信を効率的に行うことができる。
【０２７９】
［本発明の第４の実施の形態に係る情報処理装置の構成］
次に、本発明の第４の実施の形態に係る情報処理装置８００について説明する。図２４は、本発明の第４の実施の形態に係る情報処理装置８００の概略構成を示すブロック図である。
【０２８０】
図２４において、情報処理装置８００は、アンテナ８０２と、通信部８１２と、制御部８１８と、充電ＩＣ８２０と、バッテリ８２２とを備える。
【０２８１】
アンテナ８０２は、充電装置３００から送信されるパケットを受信する。なお、アンテナ８０２のＱ値は低いＱ値に設定されている。
【０２８２】
通信部８１２は、アンテナ８０２が受信したパケットを受信する受信部８１４を有する。また、通信部８１２は、応答パケットを充電装置３００へ送信する送信部８１６とを有する。なお、送信部８１６は、応答パケットの送信を負荷変調により行い、また、通常のデータ伝送レートで行う。
【０２８３】
制御部８１８は、通信部８１２、充電ＩＣ８２０の制御を行う。充電ＩＣ８２０は、バッテリ８２２への充電を行い、また、バッテリ８２２からの電力を効率的に情報処理装置８００の各部に供給する。
【０２８４】
［本発明の第４の実施の形態に係る情報処理装置が実行する通信処理］
次に、本発明の第４の実施の形態に係る情報処理装置８００が実行する通信処理について説明する。図２５は、本発明の第４の実施の形態に係る情報処理装置８００が実行する通信処理のフローチャートである。
【０２８５】
図２５において、まず、情報処理装置８００の制御部８１８は、通信部８１２の受信部８１４において充電装置３００から送信される、例えば１３．５６ＭＨｚの搬送波を待ち受ける（ステップＳ９０１）。
【０２８６】
次いで、制御部８１８は、受信部８１４において搬送波を受信したか否かを判別し（ステップＳ９０２）、搬送波を受信していないときは（ステップＳ９０２でＮＯ）、ステップＳ９０１の処理に戻る。
【０２８７】
ステップＳ９０２の判別の結果、受信部８１４において搬送波を受信したときは（ステップＳ９０２でＹＥＳ）、制御部８１８は、通信部８１２の受信部８１４において充電装置３００から送信されるポーリング信号を待ち受ける（ステップＳ９０３）。
【０２８８】
次いで、制御部８１８は、受信部８１４においてポーリング信号を受信したか否かを判別し（ステップＳ９０４）、ポーリング信号を受信していないときは（ステップＳ９０４でＮＯ）、ステップＳ９０３の処理に戻る。
【０２８９】
ステップＳ９０４の判別の結果、受信部８１４においてポーリング信号を受信したときは（ステップＳ９０４でＹＥＳ）、制御部８１８は、送信部８１６においてポーリング信号に対する応答を充電装置３００に送信する（ステップＳ９０５）。
【０２９０】
次いで、制御部８１８は、充電装置３００と通常の非接触式の通信処理を実行して（ステップＳ９０６）、本処理を終了する。
【０２９１】
［本発明の第５の実施の形態に係る情報処理システムの構成］
以下、本発明の第５の実施の形態に係る情報処理システムについて説明する。図２６Ａおよび図２６Ｂは、本発明の第５の実施の形態に係る情報処理システムを説明するための説明図である。
【０２９２】
図２６Ａにおいて、情報処理システム１４０は、非接触充電機能のみを有する携帯電話端末などの情報処理装置９００と、充電装置３００とから構成される。なお、充電装置３００は、リーダ／ライタ機能を有する充電装置であってもよい。
【０２９３】
情報処理装置９００は、内部にバッテリ（図示せず）を備え、充電装置３００との通信時、およびバッテリへの充電用の電力の伝達時に使用する１つのアンテナ９０２を搭載している。
【０２９４】
充電装置３００は、情報処理装置９００との通信時、および情報処理装置９００が備えるバッテリへの充電用の電力の伝送時に使用する１つのアンテナ３０２を搭載している。
【０２９５】
情報処理システム１４０では、図２６Ｂに示すように、情報処理装置９００が充電装置３００上に載置された際、または情報処理装置９００が充電装置３００に接近した際に、情報処理装置９００が備えるバッテリへの非接触式の充電を行う。
【０２９６】
本実施の形態に係る情報処理システム１４０では、情報処理装置９００が後述する図２８の通信処理を実行し、充電装置３００が上述した図１１および図１２の第２の通信／充電処理を実行する。これにより、双方の装置において、１つのアンテナを用いて、情報処理装置９００と充電装置３００との間での非接触充電を効率的に行うことができる。
【０２９７】
［本発明の第５の実施の形態に係る情報処理装置の構成］
次に、本発明の第５の実施の形態に係る情報処理装置９００について説明する。図２７は、本発明の第５の実施の形態に係る情報処理装置９００の概略構成を示すブロック図である。
【０２９８】
図２７において、情報処理装置９００は、アンテナ９０２と、充電部９０６と、制御部９１８と、充電ＩＣ９２０と、バッテリ９２２とを備える。
【０２９９】
アンテナ９０２は、充電装置３００から送信されるパケットを受信する。また、アンテナ９０２は、充電装置３００からバッテリ９２２への充電用の電力が伝達される。なお、アンテナ９０２のＱ値は高いＱ値に設定されている。
【０３００】
充電部９０６は、アンテナ９０２に伝達されたバッテリ９２２への充電用の電力を受信する受信部９０８を有する。また、充電部９０６は、バッテリ９２２への充電が完了するまで間欠的に充電装置３００へ充電用の電力の伝送の継続を要求するための充電中パケットを送信する送信部９１０を有する。なお、送信部９１０は、充電中パケットの送信を負荷変調により行い、また、通常のデータ伝送レートよりも低いデータ伝送レートで行う。
【０３０１】
制御部９１８は、充電部９０６、充電ＩＣ９２０の制御を行う。充電ＩＣ９２０は、バッテリ９２２への充電を行い、また、バッテリ９２２からの電力を効率的に情報処理装置９００の各部に供給する。
【０３０２】
［本発明の第５の実施の形態に係る情報処理装置が実行する充電処理］
次に、本発明の第５の実施の形態に係る情報処理装置９００が実行する充電処理について説明する。図２８は、本発明の第５の実施の形態に係る情報処理装置９００が実行する充電処理のフローチャートである。
【０３０３】
図２８において、まず、情報処理装置９００の制御部９１８は、充電部９０６の受信部９０８において充電装置３００から送信される、例えば１３．５６ＭＨｚの搬送波を待ち受ける（ステップＳ１００１）。
【０３０４】
次いで、制御部９１８は、受信部９０８において搬送波を受信したか否かを判別し（ステップＳ１００２）、搬送波を受信していないときは（ステップＳ１００２でＮＯ）、ステップＳ１００１の処理に戻る。
【０３０５】
ステップＳ１００２の判別の結果、受信部９０８において搬送波を受信したときは（ステップＳ１００２でＹＥＳ）、制御部９１８は、充電装置３００から送信される充電認証パケットを待ち受ける（ステップＳ１００３）。なお、ステップＳ１００３では、充電装置３００は、アンテナ９０２のＱ値が高いＱ値に設定されていても十分通信が可能となるように低いデータ伝送レートで通信を行う。
【０３０６】
次いで、制御部９１８は、受信部９０８において充電認証パケットを受信したか否かを判別して（ステップＳ１００４）、充電認証パケットを受信しないときは（ステップＳ１００４でＮＯ）、ステップＳ１００３の処理に戻る。
【０３０７】
ステップＳ１００４の判別の結果、受信部９０８において充電認証パケットを受信したときは（ステップＳ１００４でＹＥＳ）、制御部９１８は、受信した充電認証パケットが有効であるか否かを判別して（ステップＳ１００５）、充電認証パケットが有効でないときは（ステップＳ１００５でＮＯ）、ステップＳ１００３の処理に戻る。
【０３０８】
ステップＳ１００５の判別の結果、充電認証パケットが有効であるときは（ステップＳ１００５でＹＥＳ）、制御部９１８は、送信部９１０において充電認証パケットを充電装置３００に送信する（ステップＳ１００６）。
【０３０９】
次いで、制御部９１８は、バッテリ９２２への充電を監視する（ステップＳ１００７）。
【０３１０】
次いで、制御部９１８は、受信部９０８においてバッテリ９２２への充電用の電力を受信しているか否かを判別する（ステップＳ１００８）。
【０３１１】
ステップＳ１００８の判別の結果、充電用の電力を受信しているときは（ステップＳ１００８でＹＥＳ）、制御部９１８は、充電ＩＣ９２０からバッテリ９２２の電池残量情報を取得して、バッテリ９２２が満充電であるか否かを判別する（ステップＳ１００９）。
【０３１２】
ステップＳ１００９の判別の結果、バッテリが満充電でないときは（ステップＳ１００９でＮＯ）、制御部９１８は、送信部９１０において充電中パケットを充電装置３００に送信して（ステップＳ１０１０）、ステップＳ１００７の処理に戻る。なお、ステップＳ１０１０では、アンテナ９０２のＱ値が高いＱ値に設定されていても十分通信が可能となるように低いデータ伝送レートで通信を行う。
【０３１３】
ステップＳ１００９の判別の結果、バッテリが満充電であるときは（ステップＳ１００９でＹＥＳ）、制御部９１８は、送信部９１０において充電中パケットを充電装置３００に送信することなく、ステップＳ１００７の処理に戻る。
【０３１４】
ステップＳ１００８の判別の結果、充電用の電力を受信していないとき、すなわち、制御部９１８が送信部９１０において充電中パケットを送信しなかったため、充電装置３００からの電力の伝達が停止したとき、または、情報処理装置９００が充電装置３００との通信可能範囲外に持ち去られたときは（ステップＳ１００８でＮＯ）、本処理を終了する。
【０３１５】
［本発明の実施の形態の情報処理システム１００に係るプログラム］
［情報処理装置２００に係るプログラム］
コンピュータを、本発明の実施の形態に係る情報処理装置２００として機能させるためのプログラムによって、同一のアンテナを用いて、非接触通信と非接触充電とを効率的に行うことができる。
【０３１６】
［充電装置３００に係るプログラム］
コンピュータを、本発明の実施の形態に係る充電装置３００として機能させるためのプログラムによって、同一のアンテナを用いて、非接触通信と非接触充電とを効率的に行うことができる。
【０３１７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０３１８】
例えば、上記では、コンピュータを、本発明の実施の形態に係る情報処理装置２００または充電装置３００として機能させるためのプログラム（コンピュータプログラム）が提供されることを示したが、本発明の実施の形態は、さらに、上記各プログラムを記憶させた記憶媒体も併せて提供することができる。
【０３１９】
上述した構成は、本発明の実施の形態の一例を示すものであり、当然に、本発明の技術的範囲に属するものである。
【符号の説明】
【０３２０】
１００    情報処理システム
２００    情報処理装置
２０２，３０２，４０２    アンテナ
２０４，３０４    Ｑ値設定スイッチ
２０６，３０６    充電部
２１２，３１２    通信部
２１８，３１８    制御部
２２２    バッテリ
３００    充電装置
６２４    電圧検知回路
６２６    制限抵抗
【図１Ａ】
2020058228.tif 000003
【図１Ｂ】
2020058228.tif 000004
【図２】
2020058228.tif 000005
【図３】
2020058228.tif 000006
【図４】
2020058228.tif 000007
【図５】
2020058228.tif 000008
【図６】
2020058228.tif 000009
【図７】
2020058228.tif 000010
【図８】
2020058228.tif 000011
【図９】
2020058228.tif 000012
【図１０】
2020058228.tif 000013
【図１１】
2020058228.tif 000014
【図１２】
2020058228.tif 000015
【図１３】
2020058228.tif 000016
【図１４Ａ】
2020058228.tif 000017
【図１４Ｂ】
2020058228.tif 000018
【図１５】
2020058228.tif 000019
【図１６】
2020058228.tif 000020
【図１７Ａ】
2020058228.tif 000021
【図１７Ｂ】
2020058228.tif 000022
【図１８】
2020058228.tif 000023
【図１９】
2020058228.tif 000024
【図２０】
2020058228.tif 000025
【図２１】
2020058228.tif 000026
【図２２】
2020058228.tif 000027
【図２３Ａ】
2020058228.tif 000028
【図２３Ｂ】
2020058228.tif 000029
【図２４】
2020058228.tif 000030
【図２５】
2020058228.tif 000031
【図２６Ａ】
2020058228.tif 000032
【図２６Ｂ】
2020058228.tif 000033
【図２７】
2020058228.tif 000034
【図２８】
2020058228.tif 000035
【図２９】
2020058228.tif 000036
【図３０】
2020058228.tif 000037